(57)【要約】【課題】  効率的なマルチユーザマルチキャリア伝送方式の概念を提供する。【解決手段】  連続した搬送周波数を有するいくつかのキャリアを用いたマルチキャリア変調方式を使用して第１のユーザ信号と第２のユーザ信号からマルチキャリア変調信号を提供するための装置は、第１のユーザ信号と第２のユーザ信号を受信するための入力（１０１）と、該第１のユーザ信号の値または該第１のユーザ信号の処理済みの値を、連続した搬送周波数を有するキャリアの第１の集合に割り当て、該第２のユーザ信号の値または該第２のユーザ信号の処理済みの値を、連続した搬送周波数を有するキャリアの第２の集合に割り当てるための割り当て器（ａｓｓｉｇｎｅｒ）（１１５）と、連続した搬送周波数を有する第１の集合に割り当てられる値と連続した搬送周波数を有する第２の集合に割り当てられる値を同時に変調することによりマルチキャリア変調信号を提供するためのマルチキャリア変調器（１１７）とを備える。【選択図】  図１
2007515829.tif 000002
【特許請求の範囲】
【請求項１】
連続した搬送周波数を有するいくつかのキャリアを用いたマルチキャリア変調方式を使用して、第１のユーザ信号と第２のユーザ信号からマルチキャリア変調信号を提供するための装置であって、
前記第１のユーザ信号と前記第２のユーザ信号を受信するための入力（１０１）と、
前記第１のユーザ信号の値または前記第１のユーザ信号の処理済みの値を連続した搬送周波数を有するキャリアの第１の集合に割り当て、前記第２のユーザ信号の値または前記第２のユーザ信号の処理済みの値を連続した搬送周波数を有するキャリアの第２の集合に割り当てるための割り当て器（ａｓｓｉｇｎｅｒ）（１１５、２２３、３３７）と、
マルチキャリア変調信号を得るために、連続搬送周波数の前記第１の集合に割り当てられた値と、連続搬送周波数の前記第２の集合に割り当てられた値とを同時に変調するためのマルチキャリア変調器（１１７、２２５）と
を備える装置。
【請求項２】
前記入力（１０１）が、前記第１のユーザ信号だけを受信し、前記第１のユーザ信号の符号化された値を前記第１のユーザ信号の値または前記第１のユーザ信号の処理済みの値を前記割り当て器（１１５、２２３、３３７）に提供するための第１の入力端子（１０３）と、前記第２のユーザ信号だけを受信し、前記第２のユーザ信号の値または処理済みの値を前記割り当て器（１１５、２２３、３３７）に提供するための第２の入力端子（１０５）とを備える、請求項１に記載の装置。
【請求項３】
前記第１の入力端子（１０３）が、前記第１のユーザ信号の値を符号化し、前記第１のユーザ信号の値として前記第１のユーザ信号の前記符号化された値を提供するための第１のエンコーダ（２０７）を備え、前記第２の入力端子（１０５）が前記第２のユーザ信号の値を符号化し、前記第２のユーザ信号の前記符号化された値を前記第２のユーザ信号の値として提供するための第２のエンコーダ（２１５）を備える、請求項２に記載の装置。
【請求項４】
前記第１の入力端子（１０３）が、前記第１のユーザ信号の前記値をインタリーブし、前記第１のユーザ信号の前記インタリーブされた値を前記第１のユーザ信号の値として提供するためのインタリーバ（２０９）を備え、
前記第２の入力端子（１０５）が、前記第１のユーザ信号の前記値をインタリーブし、前記第１のユーザ信号の前記インタリーブされた値を前記第１のユーザ信号の前記値として提供するためのインタリーバ（２１７）を備える、請求項２または３に記載の装置。
【請求項５】
前記第１のユーザ信号のいくつかの連続信号空間表現を前記第１のユーザ信号の処理済みの値として取得するために、所定の信号空間配列にある前記いくつかの連続信号空間表現上に、前記第１のユーザ信号の連続値をマッピングするためのマッパー（２１１）を前記第１の入力端子（１０３）が備え、
前記第２のユーザ信号のいくつかの連続信号空間表現を前記第２のユーザ信号の処理済みの値として取得するために、所定の信号空間配列にある前記いくつかの連続信号空間表現上に、前記第２のユーザ信号の連続値をマッピングするためのマッパー（２１９）を前記第２の入力端子（１０５）が備える、請求項２から４のいずれか一項に記載の装置。
【請求項６】
前記第１の入力端子（１０３）が、順序付け指数を有する値で開始する前記第１のユーザ信号のＳ番目ごとの値を選択することによって前記第１のユーザ信号の前記値として、前記第１のユーザ信号の選択された値のストリームを提供し、さらなる順序付け指数を有するさらなる値で開始する前記第１のユーザ信号のＳ番目ごとの値を選択することによって前記第１のユーザ信号のさらなる値として前記第１のユーザ信号の選択された値のさらなるストリームを提供するための第１のセレクタ（３０１）を備え、
前記第２の入力端子（１０５）が、順序付け指数を有する値で開始する前記第２のユーザ信号のＳ番目ごとの値を選択することによって前記第２のユーザ信号の前記値として、前記第２のユーザ信号の選択された値のストリームを提供し、さらなる順序付け指数を有するさらなる値で開始する前記第２のユーザ信号のＳ番目ごとの値を選択することによって、前記第２のユーザ信号のさらなる値として前記第２のユーザ信号の選択された値の追加ストリームを提供するための第２のセレクタ（３１９）を備え、
Ｓが２以上の数である、請求項２から４のいずれか一項に記載の装置。
【請求項７】
前記第１の入力端子（１０３）が前記第１のユーザ信号の前記値として前記第１のユーザ信号のインタリーブされた値を取得するために前記第１のユーザ信号の前記値をインタリーブするためのインタリーバ（３０７）を備え、前記第１の入力端子（１０３）が前記第１のユーザ信号の値として前記第１のユーザ信号のインタリーブされたさらなる値を取得するために前記第１のユーザ信号の前記さらなる値をインタリーブするためのさらなるインタリーバ（３０９）を備え、
前記第２の入力端子（１０５）が前記第２のユーザ信号の前記値として前記第２のユーザ信号のインタリーブされた値を取得するために前記第２のユーザ信号の前記値をインタリーブするためのインタリーバ（３２５）を備え、前記第２の入力端子（１０５）が前記第２のユーザ信号の値として前記第２のユーザ信号のインタリーブされたさらなる値を取得するために、前記第２のユーザ信号の前記さらなる値をインタリーブするための追加インタリーバ（３２７）を備える、請求項６に記載の装置。
【請求項８】
前記第１の入力端子（１０３）が、前記第１のユーザ信号の処理済みの値として前記第１のユーザ信号の前記値の前記いくつかの連続信号空間表現を取得するために、所定の信号空間配列にある前記いくつかの連続信号ベース表現上に前記第１のユーザ信号の前記値をマッピングするためのマッパー（３１１）を備え、
前記第１の入力端子（１０３）が、前記第１のユーザ信号のさらなる処理済みの値として前記第１のユーザ信号の前記さらなる値の前記いくつかのさらなる連続信号空間表現を取得するために、所定の信号空間配列にある前記いくつかの連続信号ベース表現上に前記第１のユーザ信号の前記値をマッピングするためのさらなるマッパー（３０３）を備え、
前記第２の入力端子（１０５）が、前記第２のユーザ信号の処理済みの値として前記第２のユーザ信号の前記値の前記いくつかの連続信号空間表現を取得するために、所定の信号空間配列にある前記いくつかの連続信号ベース表現上に前記第２のユーザ信号の前記値をマッピングするためのマッパー（３２９）を備え、
前記第２の入力端子（１０５）が、前記第２のユーザ信号のさらなる処理済みの値として前記第２のユーザ信号の前記さらなる値の前記いくつかのさらなる連続信号空間表現を取得するために、所定の信号空間配列にある前記いくつかの連続信号ベース表現上に前記第２のユーザ信号の前記値をマッピングするためのさらなるマッパー（３３１）を備える、請求項６または７に記載の装置。
【請求項９】
前記所定の信号空間配列がＰＳＫ方式、ＱＡＭ方式またはＰＡＭ方式に属する、請求項４から８のいずれか一項に記載の装置。
【請求項１０】
前記マルチキャリア変調方式のいくつかのキャリアにより決定される帯域幅の中におけるチャネル特性に関してチャネル情報を提供するための手段をさらに備え、前記割り当て器（１１５、２２３、３３７）が前記チャネル情報に基づいて、連続搬送周波数の前記第１の集合の第１の搬送周波数を決定するため、連続搬送周波数の前記第２の集合の第２の搬送周波数を決定するため、の両方またはどちらか一方のために作動する、前記請求項１から９のいずれか一項に記載の装置。
【請求項１１】
前記割り当て器（１１５、２２３、３３７）が、連続した搬送周波数を有するキャリアの前記第１の集合に、前記第１のユーザ信号の値を割り当てるため、連続した搬送周波数を有するキャリアの第３の集合に前記第１のユーザ信号のさらなる値を割り当てるため、搬送周波数の前記第２の集合に前記第２のユーザ信号の値を割り当てるため、及び連続した搬送周波数を有する第４の集合に前記第２のユーザ信号の前記さらなる値を割り当てるために作動する、請求項６から９のいずれか一項に記載の装置。
【請求項１２】
前記マルチキャリア変調方式の前記いくつかのキャリアにより決定される帯域幅におけるチャネル特徴に関してチャネル情報を提供するための手段をさらに備え、前記割り当て器が前記チャネル情報に基づいて、連続搬送周波数の前記第１の集合の第１の搬送周波数を決定するため、連続搬送周波数の前記第２の集合の搬送周波数を決定するため、連続搬送周波数の前記第３の集合の第１の搬送周波数を決定するため、連続周波数の前記第４の集合の第１の搬送周波数を決定するため、の少なくとも１つのために作動する、請求項１１に記載の装置。
【請求項１３】
マルチキャリア変調信号を取得するため、連続搬送周波数の前記第１の集合に、連続搬送周波数の前記第２の集合に、連続搬送周波数の前記第３の集合に、及び連続搬送周波数の前記第４の集合に割り当てられる値を前記マルチキャリア変調器（１１７、２２５）が、同時に復調するために作動する、請求項１１と１２に記載の装置。
【請求項１４】
前記マルチキャリア変調器が、前記マルチキャリア変調信号を取得するため、ＩＦＴ、ＩＦＦＴまたはＩＤＦＴ演算を実行するために作動する、請求項１から１３のいずれか１項に記載の装置。
【請求項１５】
第１の送信信号と第２の送信信号を生成するための装置であって、
請求項１から１４のいずれか１項に記載のマルチキャリア変調信号を提供するための装置と、
前記第１の送信信号と前記第２の送信信号を生成するための手段（１２０１）であって、前記第１の送信信号と前記第２の送信信号を生成するための前記手段（１２０１）が前記第１の送信信号として前記マルチキャリア変調信号のバージョンを生成し、前記第２の送信信号として前記マルチキャリア変調信号を周期的にシフトさせたバージョンを生成するために作動する手段と
を備える装置。
【請求項１６】
前記第１の送信信号が、総数ｎTの送信アンテナの内の１本の送信アンテナによって送信され、前記第２の送信信号が送信アンテナの総数の内の１本のさらなる送信アンテナにより送信され、送信アンテナの前記総数の内の各アンテナが１以上であって、ｎT以下の番号付け指数に関連し、第１の送信信号と第２の送信信号を生成するための手段（１２０１）が、前記第２の送信信号を取得するために、前記マルチキャリア変調信号のコピーを生成し、シフト因数Δnで前記マルチキャリア変調信号のコピーを周期的にシフトするために作動し、
【数１】
2007515829.tif 000021
Ｎsがマルチキャリア変調方式のキャリア数を示し、ｎが前記さらなるアンテナの前記番号付け指数を示す、請求項１５に記載の装置。
【請求項１７】
前記第１の送信信号と前記第２の送信信号を生成するための前記手段（１２０１）が、前記第２の送信信号に関連する前記送信アンテナの番号付け指数ｋが１に等しいときに、前記マルチキャリア変調信号の前記バージョンとして前記マルチキャリア変調信号のさらなるコピーを生成するために、あるいはそれ以外の場合、前記マルチキャリア変調信号の前記バージョンを取得するために、シフト因数Δｋによって、
【数２】
2007515829.tif 000022
前記マルチキャリア変調信号の前記追加コピーを周期的にシフトするために作動する、請求項１６に記載の装置。
【請求項１８】
前記マルチキャリア変調信号の前記コピーが、最小の番号付け指数を有する値で開始し、最大の番号付け指数を有する値で終了する番号付け指数に関連する離散値の集合を備え、前記第１の送信信号と前記第２の送信信号を生成するための手段（１２０１）が、前記第２の送信信号を取得するために前記最後の値が前記最初の値の前に置かれるような前記シフト因数によって求められる数と同じ数の個数の値によって前記マルチキャリア変調信号の前記コピーを周期的にシフトするために作動する遅延要素（１２１３、１２１７）を備える、請求項１６または１７に記載の装置。
【請求項１９】
受信されたマルチキャリア変調信号から第１のユーザ信号に対応する値を抽出するための装置であって、前記受信されたマルチキャリア変調信号が前記第１のユーザ信号の値または処理済みの値を、連続した搬送周波数を有するキャリアの第１の集合に割り当てることによって、及びマルチユーザシナリオで連続した搬送周波数を有するキャリアの第２の集合に前記第２のユーザ信号の値を割り当てることによって形成され、連続搬送周波数の前記第１の集合に割り当てられる前記値と、連続搬送周波数の前記第２の集合に割り当てられる前記値が、マルチキャリア変調信号を取得するためにマルチキャリア変調方式を使用して同時に変調され、前記マルチキャリア変調信号が複数の送信ポイントから送信され、
連続搬送周波数の前記第１の集合に関連する値の第１の集合と、連続搬送周波数の前記第２の集合に関連する値の前記第２の集合とを備える受信されたマルチキャリア信号を取得するために前記受信されたマルチキャリア変調信号を復調するためのマルチキャリア復調器（１３１３）と、
前記第１のユーザ信号、または前記第２のユーザ信号が抽出されるべきかを信号で知らせるためのユーザ表示を提供する手段（１３１９）と、
値の前記第１の集合または第２の集合の抽出された値を得るために、値の前記第１の集合または第２の集合の内の１つの集合を選択するためのセレクタ（１３１５）と
を備える装置。
【請求項２０】
キャリアの前記第１の集合が連続搬送周波数の前記第１の集合の第１の搬送周波数で開始する連続搬送周波数を備え、キャリアの前記第２の集合が連続搬送周波数の前記第２の集合の第１の搬送周波数で開始する連続搬送周波数を備え、前記セレクタ（１３１５）がキャリアの前記第１の集合の前記第１の搬送周波数で開始する連続キャリアを選択することによって前記第１のユーザ信号のキャリアの前記第１の集合を選択するために、あるいはキャリアの前記第２の集合の前記第１の搬送周波数で開始する連続キャリアを選択することによって前記第２のユーザ信号のキャリアの前記第２の集合を選択するために作動する、請求項１９に記載の装置。
【請求項２１】
ユーザ表示を提供するための前記手段（１３１９）が、前記第１のユーザ信号が抽出されなければならないことを信号で知らせるときに搬送周波数の前記第１の集合の第１の搬送周波数を提供するために作動し、あるいは前記第２のユーザ信号が抽出されなければならないことを信号で知らせるときに搬送周波数の前記第２の集合の前記第１の搬送周波数を提供するために作動する、請求項２０に記載の装置。
【請求項２２】
連続値の前記第１の集合を割り当てられた前記値は前記第１のユーザ信号に対応する値の連続信号空間表現上にマッピングされる、連続値の前記第２の集合に割り当てられた前記値は前記第２のユーザ信号に対応する値の連続信号空間表現である、のうち少なくとも１つが成り立っており、前記連続信号空間表現が所定の信号空間配列に属し、前記セレクタ（１３１５）が、第１のユーザに対応する値を取得するために前記第１の集合の前記値をデマッピングするため、あるいは前記第２のユーザに対応する値を取得するために前記第２の集合の前記値をデマッピングするためのデマッパーをさらに備える、請求項１９から２１のいずれか一項に記載の装置。
【請求項２３】
前記第１のユーザに対応する前記値、前記第２のユーザに対応する前記値、のうち少なくとも一方が、前記第１のユーザ、前記第２のユーザ、のうち少なくとも一方に対応する連続値のインタリーブされたバージョンであり、前記セレクタ（１３１５）が前記第１のユーザに対応する前記抽出された値として前記第１のユーザに対応する連続値を取得するため、あるいは前記第２のユーザに対応する前記抽出された値として前記第２のユーザに対応する連続値を取得するためのデインタリーバをさらに備える、請求項２２に記載の装置。
【請求項２４】
前記第１のユーザに対応する前記値が符号化方式に基づいて符号化される、前記第２のユーザに対応する前記値が前記符号化方式に基づいて符号化される、のうち少なくとも一方が成り立ち、
前記セレクタ（１３１５）が前記第１のユーザまたは前記第２のユーザに対応する前記符号化された値を復号化するためのデコーダを備える、請求項２２または２３に記載の装置。
【請求項２５】
前記受信されたマルチキャリア信号が、前記第１のユーザ信号のさらなる値が割り当てられる周波数の第３の集合に関連する値の第３の集合を備える、前記受信されたマルチキャリア信号が、前記第２のユーザ信号のさらなる値が割り当てられる周波数の第４の集合に関連する値の第４の集合を備える、のうち少なくとも一方が成り立ち、
前記セレクタ（１３１５）が、値の前記第３の集合を選択するために、あるいは前記第４の集合を選択するために作動する、請求項１９から２４のいずれか一項に記載の装置。
【請求項２６】
キャリアの前記第３の集合が、連続搬送周波数の前記第３の集合の前記第１の搬送周波数で開始する連続搬送周波数を備え、キャリアの前記第４の集合が、搬送周波数の前記第４の集合の第１の搬送周波数で開始する連続搬送周波数を備え、前記セレクタがキャリアの前記第３の集合の第１の搬送周波数で開始する連続キャリアを選択することによって前記第１のユーザ信号のキャリアの前記第３の集合を選択するため、あるいはキャリアの前記第４の集合の第１の搬送周波数で開始する連続キャリアを選択することによって前記第２のユーザ信号のキャリアの前記第４の集合を選択するために作動する、請求項２５に記載の装置。
【請求項２７】
ユーザ表示を提供するための前記手段（１３１９）が、前記第１のユーザ信号が抽出されなければならないことを信号で知らせるときに搬送周波数の前記第３の集合の前記第１の搬送周波数を提供するために、
あるいは、前記第２のユーザ信号が抽出されなければならないことを信号で知らせるときに搬送周波数の前記第４の集合の前記第１の搬送周波数を提供するために作動する、請求項２６に記載の装置。
【請求項２８】
連続値の前記第３の集合に割り当てられた前記さらなる値が、前記第１のユーザ信号に対応するさらなる値の連続信号空間表現上にマッピングされる、連続値の前記第４の集合に割り当てられた前記さらなる値が、前記第２のユーザ信号に対応するさらなる値の連続追加信号空間表現である、のうち少なくとも一方が成り立ち、前記連続信号空間表現が所定の信号空間配列に属し、前記セレクタ（１３１５）が前記第１のユーザに対応する値を取得するために前記第３の集合の前記値をデマッピングするため、または前記第２のユーザに対応する値を取得するために前記第４の集合の前記値をデマッピングするためのさらなるデマッパーを備える、請求項２５から２７のいずれか一項に記載の装置。
【請求項２９】
前記第１のユーザに対応する前記さらなる値、前記第２のユーザに対応する前記さらなる値、のうち少なくとも一方が、前記第１のユーザ、前記第２のユーザ、のうち少なくとも一方に対応するさらなる連続値のインタリーブされたバージョンであって、前記セレクタ（１３１５）が、前記第１のユーザに対応する前記さらなる連続値を取得するため、あるいは前記第２のユーザに対応する前記さらなる連続値を取得するためのさらなるデインタリーバを備える、請求項２８に記載の装置。
【請求項３０】
前記第１のユーザに対応する前記さらなる値が符号化方式に基づいて符号化される、前記第２のユーザに対応する前記さらなる値が前記符号化方式に基づいて符号化される、のうち少なくとも一方が成り立ち、前記セレクタ（１３１５）が前記第１のユーザまたは前記第２のユーザに対応する前記符号化された値を復号化するためのさらなるデコーダを備える、請求項２８または２９に記載の装置。
【請求項３１】
値の前記第１の集合に対応する前記値は、順序付け指数を有する値で開始する前記第１のユーザ信号のＳ番目ごとの値を選択することにより取得される前記第１のユーザ信号の選択された値のストリームであり、値の前記第３の集合に対応する前記さらなる値は、さらなる順序付け指数を有する値で開始する前記第１のユーザ信号のＳ番目ごとの値を選択することによって取得される前記第１のユーザ信号の選択された値の追加ストリームである、値の前記第２の集合に対応する前記値が、順序付け指数を有する値で開始する前記第２のユーザ信号のＳ番目ごとの値を選択することによって取得される前記第２のユーザ信号の選択された値のストリームである、のうち少なくとも一方が成り立ち、値の前記第４の集合に対応する前記さらなる値はさらなる順序付け指数を有する値で開始する前記第２のユーザ信号のＳ番目ごとの値を選択することによって取得される前記第２のユーザ信号の選択された値の追加ストリームであり、Ｓが２以上の数であり、
前記セレクタ（１３１５）が、前記第１のユーザ信号または前記第２のユーザ信号を取得するために、前記第１のユーザ信号または前記第２のユーザ信号の前記ストリームまたは前記追加ストリームの前記値を収集するための手段をさらに備える、請求項２１から３０のいずれか一項に記載の装置。
【請求項３２】
連続した搬送周波数を有するいくつかのキャリアを用いたマルチキャリア変調方式を使用して、第１のユーザ信号及び第２のユーザ信号からマルチキャリア変調信号を提供するための方法であって、
前記第１のユーザ信号と前記第２のユーザ信号を受信するステップと、
前記第１のユーザ信号の値または前記第１のユーザ信号の処理済みの値を、連続した搬送周波数を有するキャリアの第１の集合に割り当てるステップと、
前記第２のユーザ信号の値または前記第２のユーザ信号の処理済みの値を、連続した搬送周波数を有するキャリアの第２の集合に割り当てるステップと、
前記マルチキャリア変調信号を取得するために、マルチキャリア変調方式を使用して連続搬送周波数の前記第１の集合に割り当てられた値と、連続搬送周波数の前記第２の集合に割り当てられた値を同時に変調するステップと、を備える方法。
【請求項３３】
第１の送信信号と第２の送信信号を生成するための方法であって、
請求項３２の方法に従ってマルチキャリア変調信号を提供するステップと、
前記第１の送信信号として前記マルチキャリア変調信号のバージョンを生成するステップと、
前記第２の送信信号として前記マルチキャリア変調信号の周期的にシフトさせたバージョンを生成するステップと
を備える方法。
【請求項３４】
受信されたマルチキャリア変調信号から第１のユーザ信号に対応する値を抽出するための方法であって、前記受信されたマルチキャリア変調信号は前記第１のユーザ信号の値または処理済みの値を連続した搬送周波数を有するキャリアの第１の集合に割り当てることによって、及び前記第２のユーザ信号の値をマルチユーザシナリオで連続した搬送周波数を有するキャリアの第２の集合に割り当てることによって形成され、連続搬送周波数の前記第１の集合に割り当てられる前記値及び連続搬送周波数の前記第２の集合に割り当てられる値がマルチキャリア変調信号を取得するためにマルチキャリア変調方式を使用して同時に変調され、前記マルチキャリア変調信号が複数の送信ポイントから送信され、
前記受信されたマルチキャリア信号を受信するステップと、
連続搬送周波数の前記第１の集合に関連する値の第１の集合と、連続搬送周波数の前記第２の集合に関連する値の第２の集合とを含む受信されたマルチキャリア信号を取得するために、前記受信されたマルチキャリア変調信号を復調するステップと、
前記第１のユーザ信号、あるいは第２のユーザ信号が抽出されるべきかどうかを信号で知らせるためのユーザ表示を提供するステップと、
値の前記第１または第２の集合から抽出された値を取得するために値の前記第１の集合または前記第２の集合の内の１つの集合を選択するステップと
を備える方法。
【請求項３５】
プログラムがコンピュータで実行されるときに請求項３２または３３または３４に記載の方法を実行するためのプログラムコードを有するコンピュータプログラム。
【発明の詳細な説明】
【技術分野】
【０００１】
本発明は電気通信の分野にあり、特にマルチユーザシナリオにおけるマルチキャリア伝送方式の分野にある。
【背景技術】
【０００２】
無線通信では、フェージングの有害な影響を削減するために送信ダイバーシティ技術を使用する。単純な送信ダイバーシティ技術は、同じ信号が異なる遅延を伴って複数のアンテナから送信される遅延ダイバーシティである。この結果、各送信アンテナから各受信アンテナへのオリジナルのサブチャネルと比較して周波数の選択性が強化され、したがって周波数ダイバーシティが強化された入力チャネルの同等物が得られる。直交周波数分割多重（ＯＦＤＭ）では、送信機で取り込まれた周波数ダイバーシティは、受信機内に配置された前進型エラー訂正デコーダにより利用できる。
【０００３】
しかしながら、時間ダイバーシティを達成するためにしばしば必要とされるマルチキャリア伝送システムにさらなる遅延を導入することによって、より長いガード区間が要求される。これにより、帯域効率が低下する。ガード区間が十分に長くない場合にはキャリア間相互干渉が発生する可能性がある。しかしながら、ガード区間の長さを長くすると、ガード区間は情報伝送に適用できないため、帯域効率が削減される。
【０００４】
ガード区間を超えずに周波数選択性を強化することは以下に示す文献に示されているように周期的遅延ダイバーシティを導入することによって達成される。すなわち、Ａ．Ｄａｍａｎｎ及びＳ．Ｋａｉｓｅｒ「Ｓｔａｎｄａｒｄ  ｃｏｎｆｏｒｍａｂｌｅ  ａｎｔｅｎｎａ  ｄｉｖｅｒｓｉｔｙ  ｔｅｃｈｎｉｑｕｅｓ  ｆｏｒ  ＯＦＤＭ  ｓｙｓｔｅｍｓ  ａｎｄ  ｉｔｓ  ａｐｐｌｉｃａｔｉｏｎ  ｔｏ  ｔｈｅ  ＤＶＢ−Ｔ  ｓｙｓｔｅｍ」、ＩＥＥＥグローブコム（ＩＥＥＥ  Ｇｌｏｂｅｃｏｍ）、３１００−３１０５ページ、２００１年１１月、Ａ．Ｄａｍｍａｎｎ及びＳ．Ｋａｉｓｅｒ「Ｌｏｗ  ｃｏｍｐｌｅｘ  ｓｔａｎｄａｒｄ  ｃｏｎｆｏｒｍａｂｌｅ  ａｎｔｅｎｎａ  ｄｉｖｅｒｓｉｔｙ  ｔｅｃｈｎｉｑｕｅｓ  ｆｏｒ  ＯＦＤＭ  ｓｙｓｔｅｍｓ  ａｎｄ  ｉｔｓ  ａｐｐｌｉｃａｔｉｏｎ  ｔｏ  ｔｈｅ  ＤＶＢ−Ｔ  ｓｙｓｔｅｍ」、ソース及びチャネルコード化に関する第４回国際ＩＴＧ会議（４ｔｈ  Ｉｎｔｅｒｎａｔｉｏｎａｌ  ＩＴＧ  Ｃｏｎｆｅｒｅｎｃｅ  ｏｎ  Ｓｏｕｒｃｅ  ａｎｄ  Ｃｈａｎｎｅｌ  Ｃｏｄｉｎｇ）、２５３−２５９ページ、２００２年１月、及びＡ．Ｄａｍｍａｎｎ、Ｒ．Ｒａｕｌｅｆｓ及びＳ．Ｋａｉｓｅｒ「Ｂｅａｍｆｏｒｍｉｎｇ  ｉｎ  ｃｏｍｂｉｎａｔｉｏｎ  ｗｉｔｈ  ｓｐａｃｅ−ｔｉｍｅ  ｄｉｖｅｒｓｉｔｙ  ｆｏｒ  ｂｒｏａｄｂａｎｄ  ＯＦＤＭ  ｓｙｓｔｅｍｓ」、ＩＥＥＥ通信に関する会議（ＩＣＣ）、１６５−１７１ページ、２００２年４月、等である。上記の文献の教示に従って、ガード区間を超えないように遅延が周期的に導入される。
【０００５】
送信ダイバーシティ技術は、従来、マルチユーザシナリオにおいて複数のチャネルを通して信号を送信するために適用され、送信信号は複数のユーザに関連する複数の信号ストリームを備える。受信機では、ユーザストリームは、送信信号の処理によって提供される送信ダイバーシティを明示的に利用することによって分離される。
【０００６】
送信ダイバーシティを生成するためには、異なる送信アンテナから同時に送信されるデータに周期的遅延ダイバーシティを適用することができ、送信アンテナに関連した各データストリームは、他のデータストリームに対して遅延を有する。受信機では、単独の受信アンテナまたは複数の受信アンテナを利用できる。
【０００７】
使用可能な帯域幅を効率的に利用するためには、完全空間ダイバーシティを有効に利用するために適用される送信ダイバーシティ技術の特性を考慮に入れるべきである。例えば、マルチキャリア伝送シナリオでは、適用される送信ダイバーシティ技術は受信機でのサブキャリア間の相関特性に影響を及ぼす可能性がある。前述のように、空間ダイバーシティはデコーダが獲得できる周波数ダイバーシティに変換することができる。
【０００８】
ブロードバンド直交周波数分割多重接続システム（ＯＦＤＭＡ）では、使用可能な帯域幅は数人のユーザによって共用される。通常、ブロック周波数インタリーバが適用される。つまりユーザの送信シンボルは、隣接するサブキャリアが異なるユーザに割り当てられるように周波数ダイバーシティを利用するために等しい間隔でサブキャリアに割り当てられる。しかしながら、前述の周期的遅延ダイバーシティと組み合わされた場合、空間ダイバーシティは隣接するサブキャリアの無相関のチャネル係数に反映され、したがって無相関のキャリアでは、周波数ブロックインタリーブによって、空間ダイバーシティの利用に完全に失敗することがある。したがって、ユーザストリームに対して、復号後のビット誤り率の上昇が発生するため、使用可能な帯域幅は効率的に利用できない。
【０００９】
システムの性能を改善するために、強化された冗長性を導入することによって、異なるユーザストリームをコード化するためにさらに複雑なコード化方式を適用してもよい。しかしながら、この手法は冗長性が強化されると帯域効率が下がるという弱点を持つ。標準ダイバーシティ技術を考慮するときに、空間ダイバーシティも送信アンテナと受信アンテナの数を増加することによって利用できる。しかしながら、特にマルチユーザシナリオでは、受信アンテナの数が増加すると、全体的なシステムの複雑度、特に携帯受信機の複雑度も高まる。
【００１０】
ダイバーシティ技術を使用して従来のマルチキャリア送信システムのシステム性能を改善するさらなる可能性は、干渉を削減するためにガード区間の長さを伸ばすことである。しかしながら、この手法は帯域効率の低下という弱点をもつ。
【００１１】
図１４は、従来のＯＦＤＭＡシステム（ＯＦＤＭＡ：直交周波数分割多重接続）を示す。図１４のＯＦＤＭＡシステムは入力と出力を有する複数のＦＥＣエンコーダ１４０１を備え、複数のＦＥＣエンコーダ１４０１のそれぞれの出力は複数のインタリーバ１４０３に接続される。複数のインタリーバ１４０３のそれぞれは、各インタリーバ１４０３によって提供される離散値を選ばれた信号空間配列方式（変調）に従って信号空間代表にマッピングするための、関連したマッパー１４０５に接続された出力を有する。図１４では、マッパー１４０５は例えばＱＡＭ（直交振幅変調）またはＰＳＫ（位相シフトキーイング）変調を実行する。複数のマッパー１４０５のそれぞれは、ＩＦＦＴブロック１４０９（ＩＦＦＴ：高速フーリエ逆変換）に接続される複数の出力を有するインタリーバ１４０７に接続される出力を有する。ＩＦＦＴブロック１４０９は、マルチキャリア変調信号を提供するために複数の出力１４１１を有する。
【００１２】
図１４ではユーザ１とユーザＵが描かれているが、ＦＥＣエンコーダ１４０１のそれぞれは対応するユーザ信号を受信する。図１４の従来のＯＦＤＭＡシステムでは、使用可能なサブキャリアは、ダイバーシティを利用するために固定間隔のサブキャリアにユーザ信号のシンボルを分散させるためのインタリーバ１４０７を使用することによって特定のユーザに割り当てられる。周期的遅延ダイバーシティが適用される場合、サブキャリアの相関特性が考慮に入れられないためこのようなブロックインタリーブが、エラーを取り込む場合がある。図１４では、サブキャリアｓ＝０，３，７，・・・がユーザ１に割り当てられている。ただし、適用される空間ダイバーシティ技術がユーザ１に割り当てられているキャリア間で相関を取り入れるときに、ユーザ１は空間ダイバーシティを完全に獲得することはできない。図１４のさらなる不利な点とは、固定された割り当て方式が使用されるために、チャネルの周波数選択性を考慮できない点である。したがって、従来のＯＦＤＭＡシステムは周波数ダイバーシティを完全に利用しておらず、これにより帯域効率に関して性能の低下が生じる。
【発明の開示】
【発明が解決しようとする課題】
【００１３】
本発明の目的は、効率的なマルチユーザマルチキャリア伝送方式の概念を提供することである。
【課題を解決するための手段】
【００１４】
この目的は、請求項１に記載のマルチキャリア変調済み信号を提供するための装置によって、または請求項１５に記載の第１の送信信号と第２の送信信号を生成するための装置によって、または請求項１９に記載の第１のユーザ信号に対応する値を抽出するための装置によって、または請求項３２に記載のマルチキャリア変調信号を提供するための方法によって、または請求項３３に記載の第１の送信信号と第２の送信信号を生成するための方法によって、または請求項３４に記載の第１のユーザ信号に対応する値を抽出するための方法によって、または請求項３５に記載のコンピュータプログラムによって達成される。
【００１５】
本発明は、マルチキャリア伝送シナリオにおいて、ダイバーシティ技術を使用するマルチユーザ伝送は、マルチキャリア変調方式により使用されるサブキャリアの相関特性を明示的に利用することによって効率的に実行できるという発見事項に基づいている。特に、受信機で、それぞれの隣接するキャリアが無相関となるように、第１のユーザ信号に対応するいくつかの値が搬送周波数の集合に割り当てられるとき、空間ダイバーシティが効率的に使用できることが分かっている。周期的遅延ダイバーシティ方式が使用されるときには、周期的遅延は、第１のユーザ信号を送信するために連続キャリアの集合が利用されるように選ばれてよく、それぞれの隣接するサブキャリアが無相関となるならば、第２のユーザ信号を送信するために連続キャリアの第２の集合が利用されるように選ばれ得る。
【００１６】
本発明に従って、複数のユーザの各ユーザ信号値は所定のサブキャリアに、例えば連続キャリアの集合に、または連続キャリアの複数の集合に割り当てられる。したがって、各ユーザ信号はキャリア（搬送周波数）の１つまたは複数の集合、連続キャリアの各集合またはいくつかの連続キャリアに割り当てられ、２つの隣接するキャリアは無相関である。周期的遅延ダイバーシティをマルチユーザ伝送のための空間ダイバーシティ方式として使用すると、空間ダイバーシティは、受信機で周波数ダイバーシティに変換され、それぞれのユーザ信号に割り当てられる２つの隣接するキャリアのそれぞれが無相関であるため、完全に利用できる。一人のユーザに、または複数のユーザに割り当てられるキャリアの集合が使用可能な帯域幅の中で独立して設置できるため、同時に周波数ダイバーシティも利用できる。
【００１７】
さらに、チャネル減衰等のチャネル特性に応じて、ユーザ信号の離散値は連続キャリアのそれぞれの集合に割り当てられる前にインタリーブまたはコード化される。このようにして、キャリアの各集合は自由に且つ独立にチャネル特性に適応させることができる。したがって受信機では、周波数ダイバーシティは完全に利用できる。
【００１８】
受信機の複雑性を高めることなく複数のマルチユーザ信号を同時に送信するために空間ダイバーシティを完全に利用できることが本発明の優位点である。さらに、空間ダイバーシティは、本発明のキャリア割当方法に基づいて周波数選択性に変換されるため、受信機では単一のアンテナも使用できる。したがって、処理されるいくつかの受信信号を削減することができ、それにより対応するユーザ信号を取得するために必要とされる信号処理リソースを削減することができる。
【００１９】
各ユーザが周波数ダイバーシティと空間ダイバーシティを同時に使用できるように、ユーザ信号をさまざまなサブキャリアに割り当てることができることが本発明のさらなる優位点である。
【００２０】
本発明によれば、周期的遅延（ｃｙｃｌｉｃ  ｄｅｌａｙ）は、隣接するサブキャリアが無相関となるように選ばれることができる。インタリーブ戦略は、制限され制約された長さの前進型エラー訂正コードを使用して完全な空間ダイバーシティを利用できることを確実になる。
【００２１】
本発明のキャリア割当方式は簡略であり、その結果複雑な、つまり再帰的な計算も、時間がかかるシステムの適応も必要とされないことが本発明のさらなる優位点である。
【００２２】
本発明は、さらに標準的な手法に優る、可能な限りのダイバーシティ優位点が得られることを保証するインタリーブ戦略を提供する。割り当てられるキャリアに関する決定が、通常マルチキャリア受信機では公知であるチャネル特性の評価から導かれるので、本発明のインタリーブ方式は複雑度が低い。
【００２３】
未知の遅延拡散により周波数選択チャネルにおいても空間ダイバーシティの効率的な利用を保証するために、周期的な遅延が、必要とされるサブキャリア間の低い相関特性を達成するために適応されてもよい。本発明の周期的遅延方式によれば、完全空間ダイバーシティを効率的に活用するために、隣接するサブキャリアの効率的なチャネル係数は低い相関を持つ一方で、隣接していないサブキャリアは高い相関を持つことになる。
【００２４】
本発明のさらなる実施形態は、以下の図に関して詳細に説明される。
【発明を実施するための最良の形態】
【００２５】
図１は、本発明の第１の実施形態に従って第１のユーザ信号から、及び第２のユーザ信号からマルチキャリア変調信号を提供する本発明の装置のブロック図を示す。
【００２６】
図１の装置は、第１のユーザ信号を受信し、第２のユーザ信号を受信するための入力１０１を備える。入力１０１は、互いに並列に配列される第１の入力端子１０３と第２の入力端子１０５を備える。第１の入力端子１０３は第１のユーザ信号を受信するための入力１０７と、第１のユーザ信号の値を出力するための出力１０９を有する。第２の入力端子１０５は第２のユーザ信号を受信するための入力１１１と、第２のユーザ信号の値を出力するための出力１１３を有する。
【００２７】
第１の入力端子１０３の出力１０９と、第２の入力端子１１５の出力１１３は、割り当て器（ａｓｓｉｇｎｅｒ）１１５に並列に結合している。割り当て器１１５は、マルチキャリア変調信号を出力するための出力１１９を有するマルチキャリア変調器１１７に結合している複数の出力を有する。
【００２８】
図１は本発明の手法を示し、複数のユーザの内の二人のユーザが描かれている。第１の入力端子１０３に与えられる第１のユーザ信号は第１のユーザに関連しており、第２の入力端子１０５に与えられる第２のユーザ信号は第２のユーザに関連している。「ユーザ」という用語によりあるシナリオを記述し、ユーザ信号は物理的実体に割り当てられる。代わりに、用語「ユーザ」は、さまざまなユーザ信号が、送信される電子メールまたはビデオストリーム等の異なるサービスに関連しているシナリオを定義するものでもよい。第１の入力端子１０３は第１のユーザ信号だけに作用し、第２の入力端子１０５は第２のユーザ信号だけに作用する。言い換えると、異なるユーザ信号に関連した異なる信号ストリームは別々に処理され、この処理は並列で実行される。
【００２９】
第１の入力端子１０３は第１のユーザ信号を受信し、［ｘ（１），・・・，ｘ（ｎ）］によって示される第１のユーザ信号の値または処理済みの値を出力する。ここで、ｎは第１のユーザ信号の値または処理済みの値の数を示す。第２の入力端子１０５も同様に動作する。第２のユーザ信号は、［ｙ（１），・・・，ｙ（ｍ）］で示される第２のユーザ信号の値に変換される。ここで、ｍは第２のユーザ信号の値の数または第２のユーザ信号の処理済みの値の数を示す。一般性のため、第１の入力端子１０３によって提供される、第１のユーザ信号の値の数または処理済みの第１のユーザ信号の値の数は、第２の入力端子１０５により提供される第２のユーザ信号の値または処理済みの値の数とは異なると仮定される。第１ユーザ信号の値と第２のユーザ信号の値（またはその処理済みのバージョン）は、第１のユーザ信号の値またはその処理済みのバージョンを、連続した搬送周波数を有するキャリアの第１の集合に割り当てるために作動し、第２のユーザ信号の値または第２のユーザ信号の処理済みの値を、連続した搬送周波数を有するキャリアの第２の集合に割り当てるために作動する、割り当て器１１５に提供される。連続搬送周波数は基礎となるマルチキャリア変調方式により使用されるいくつかのキャリアによって決定される。前記いくつかのキャリアは、信号伝送のために使用可能な帯域幅を定める。
【００３０】
割り当て器１１５は、使用可能な帯域幅の中で独立してキャリアの第１の集合とキャリアの第２の集合を割り当てるために作動する。図１に描かれているように、第２のユーザ信号の値は、第１の搬送周波数で始まる連続した搬送周波数を有するキャリアの第１の集合に割り当てられる。それに反して、第１のユーザ信号の値は、第１の搬送周波数より高いまたは低い可能性がある、第２の搬送周波数で開始する連続した搬送周波数を有する第２の集合に割り当てられる。代わりに、第１のユーザ信号の値はキャリアの第１の集合に割り当てられてもよく、第２のユーザ信号の値はキャリアの第２の集合に割り当てられてもよい。割り当て器の出力は、キャリアの第２の集合の連続搬送周波数に割り当てられる第１のユーザ信号の値または第１のユーザ信号の処理済みの値、及びキャリアの第１の集合の連続搬送周波数に割り当てられる第２のユーザ信号の値を含むマルチキャリア信号を提供する。
【００３１】
マルチキャリア変調器１１７は、連続した搬送周波数を有する第１の集合に割り当てられる値、及び連続した搬送周波数を有する第２の集合に割り当てられる値等のマルチキャリア信号を同時に変調する。変調後、マルチキャリア変調信号は出力１１９を介して提供される。図１のマルチキャリア変調信号がベースバンドマルチキャリア変調信号である場合は、出力１１９は帯域通過信号を提供するためのアナログデジタル変換器を介して結合してもよい。
【００３２】
図２は、本発明のさらなる実施形態に従ってマルチキャリア変調信号を提供するための装置のブロック図を示す。
【００３３】
図２では、複数のユーザを含むマルチユーザシナリオを考え、２つのユーザ信号が明示的に描かれている。図２の装置は、並列に配列される第１の入力端子２０３と第２の入力端子２０５を備える。第１の入力端子２０３は第１のインタリーバ２０９に接続される出力を有する第１のエンコーダ２０７を備える。第１のインタリーバ２０９は出力２１３を有するマッパーに接続される出力を有する。第１の入力端子は、第１の信号経路を決定し、第１の信号経路に並列な第２の信号経路は第２の入力端子２０５によって決定される。
【００３４】
第２の入力端子２０５は入力と出力を有する第２のエンコーダ２１５を備え、第２のエンコーダ２１５の出力は第２のインタリーバ２１７に結合している。第２のインタリーバ２１７は出力２２１を有する第２のマッパー２１９に結合している出力を有する。
【００３５】
複数のユーザの第１のユーザと第２のユーザに関連する第１の信号経路と第２の信号経路を表現する第１の入力端子の出力２１３、及び第２の端子の出力２２１は、割り当て器２２３に結合している。割り当て器２２３は出力２２７を有するマルチキャリア変調器２２５に結合している複数の出力を有する。
【００３６】
第１のエンコーダ２０７は、第１のユーザ信号の値を符号化し、第１のユーザ信号の値として第１のユーザ信号の符号化された値を提供するための前進型エラー訂正エンコーダ（ＦＥＣエンコーダ）であってよい。第２のコーダ２１５（ＦＥＣエンコーダ）は、第２のユーザ信号の値として第２のユーザ信号の符号化された値を提供するため、第２のユーザ信号の値を符号化するために作動する。
【００３７】
第１のコーダ２０７と第２のコーダ２１５は、それぞれのユーザ信号に冗長性を取り込む符号化方式を実行する。第１のコーダと第２のコーダ、２０７と２１５は、例えばリードソロモン（ＲＳ）コーディングまたは従来の符号化を実行するために作動してよい。第１のコーダ２０７によって与えられる符号化された値は、第１のユーザ信号の値をインタリーブし、第１のユーザ信号の値として第１のユーザ信号のインタリーブされた値を提供するために、第１のインタリーバ２０９に提供される。
【００３８】
相応して、第２の入力端子２０５は、第２のユーザ信号の値をインタリーブするため、第２のユーザ信号の値として第２のユーザ信号のインタリーブされた値を提供するための第２のインタリーバ２１７を備える。インタリーバ２０９と２１７の両方ともブロックインタリーバであってよい。
【００３９】
第１の入力端子２０３は第１のユーザ信号の処理済みの値として第１のユーザ信号を空間表現する該いくつかの連続信号を得るために第１のユーザ信号の連続値を所定の信号空間配列にあるいくつかの連続信号空間表現上にマッピングするためのマッパー２１１をさらに備える。相応して、第２の入力端子２０５は、第２のユーザ信号の処理済みの値として第２のユーザ信号を空間表現する該いくつかの連続信号空間を得るために第２のユーザ信号の連続値を所定の信号空間配列にあるいくつかの連続信号空間表現上にマッピングするためのマッパー２１９を備える。
【００４０】
それぞれのマッパー２１１および２１９、または、マッパー２１１または２１９により使用される所定の信号空間配列は、ＰＳＫ方式、ＱＡＭ（直交振幅変調）方式またはＰＡＭ（パルス振幅変調）方式に属する。したがって、インタリーバ２０９により提供される第１のユーザ信号の連続値は最初に連続値を含むいくつかのグループに分割され、次に、例えば４つの値からなる各グループが、信号空間で生じるベクトルの位相と振幅を記述する信号空間表現上でマッピングされる。マッパー２１１および２１９、または、マッパー２１１または２１９のそれぞれは前記いくつかの連続信号空間表現を、前記第１のユーザ信号の前記いくつかの処理済みの値、及び前記第２のユーザ信号の前記いくつかの処理済みの値として提供する。ＱＡＭ等の複素数値の信号空間配列が使用される場合には、それぞれの処理済みの値は複素数で有りうる。つまり、各処理済みの値は２つの値を含み、第１の値が検討されている処理済みの値の実数部を特徴付け、第２の値が虚数部を特徴付ける。
【００４１】
インタリーバ２０９及び２１７、または、インタリーバ２０９または２１７がオプションであることをこの時点で言及しなければならない。また、コーダ２０７と２１５もオプションである。なぜならば、コード化やインタリーブは他で実行されうるからである。その結果、図２に描かれている第１のユーザ信号と第２のユーザ信号はすでにコード化され、インタリーブされたユーザ信号として受信される。
【００４２】
割り当て器２２３は、図２の割り当て器２１５と同様に動作する。加えて、図２の割り当て器２２３はマッパー２１１により提供される処理済みの値を、連続キャリアの複数の集合に割り当てる。ここで連続キャリアの複数の集合により構成されるキャリアの総数は、第１のユーザ信号に関連した処理済みの値の数に等しい。図２には、それぞれが連続キャリアからなる、連続キャリアの２つの集合、集合Ａと集合Ｂが描かれている。例えば、割り当て器２２３は処理済みの値の第１の数を集合Ａのキャリアに、第２のユーザ信号の処理済みの値の第２の数を集合Ｂに割り当てるように動作している。周波数ダイバーシティを利用し、チャネル変動を考慮に入れるために、集合Ａと集合Ｂは自由に、用いられるマルチキャリア変調方式の搬送周波数によって決定される使用可能な帯域幅の中に設置できる。処理済みの値の第１の数と処理済みの値の第２の数は異なっていてよい。あるいは、処理済みの値の両方の数が等しくてもよく、その結果集合Ａと集合Ｂは同じ数の搬送周波数を備える。
【００４３】
相応して、割り当て器２２３は、マッパー２１９によって提供される処理済みの値の第１の数を、例えば連続キャリアの集合Ｃに、第２のユーザ信号の処理済みの値の第２の数を連続キャリアの集合Ｄに割り当てる。
【００４４】
割り当て器２２３の複数の出力の内の各出力はマルチキャリア変調器２２５に処理済みの値として信号空間表現を提供する。ＯＦＤＭ伝送方式のケースでは、マルチキャリア変調器２２５は、割り当て器２２３により提供される周波数領域信号をマルチキャリア変調器２２５の出力２２７により提供される時間領域に変換するために、高速フーリエ逆変換（ＩＦＦＴ）を実行するように作動する。この場合、時間領域信号は送信されるマルチキャリア信号である。マルチキャリア変調器２２５は、マルチキャリア変調信号を取得するために、フーリエ逆変換（ＩＦＴ）、高速フーリエ逆変換（ＩＦＦＴ）または離散フーリエ逆変換（ＩＤＦＴ）を実行するように作動する。
【００４５】
空間ダイバーシティを獲得するために、図２の装置は各ユーザに、例えばＳ個の隣接するサブキャリアのグループを割り当てる。ここで、Ｓは第１の数と第２の数両方が等しいときに第１の数と第２の数を示す。グループあたりのサブキャリア数Ｓは、後に記述される前記いくつかのさまざまなチャネル状態によって決定される。インタリーバ２０９と２１７によって実行されるさらなるグループに関しての周波数インタリーブによって、チャネルの周波数選択性に起因する周波数ダイバーシティの利用が可能になる。
【００４６】
図３では、マルチキャリア信号を本発明のさらなる実施形態に従って提供するための装置が示される。便宜上、前述の構成要素に類似する図３の構成要素には同じ参照番号が付けられ、異なる構成要素には異なる参照番号が付けられている。
【００４７】
図２の装置とは異なり、図３に示される装置はデコーダ３０７の出力に結合している第１のセレクタ３０１を備える。セレクタ３０１は第１の出力３０３と第２の出力３０５を有する。第１の出力３０３はインタリーバ３０７に結合し、第２の出力３０５はさらなるインタリーバ３０９に結合している。インタリーバ３０７はマッパー３１１に結合している出力を有し、さらなるインタリーバ３０９はさらなるマッパー３１３に結合している出力を有する。マッパー３１１は出力３１５を有し、マッパー３１３は出力３１７を有する。
【００４８】
したがって、デコーダ２０５の出力は第１の出力３２１と第２の出力３０３を有する第２のセレクタ３０９に結合している。第１の出力３２１はインタリーバ３２５に結合しており、第２の出力３２３はインタリーバ３２７に結合している。インタリーバ３２５と３２７のそれぞれは出力を有し、インタリーバ３２５の出力はマッパー３２９に結合し、インタリーバ３２７の出力はマッパー３３１に結合している。マッパー３２９は出力３３３を有し、マッパー３３１は出力３３５を有する。
【００４９】
それぞれのマッパーの出力３２５、３２７、３３３及び３３５は、出力２２７を有するマルチキャリア変調器２２５に結合している複数の出力を有する割り当て器３３７に結合している。
【００５０】
第１のデコーダ２０７は第１のユーザ信号を受信し、復号された第１のユーザ値を第１のユーザ値として提供する。第１のユーザ値は、順序付けインデックスを有する値で開始する第１のユーザ信号のＳ番目ごとの値を選択することによって第１のユーザ信号の値として第１の出力３０３を介して第１のユーザ信号の選択された値のストリームを提供し、第１の順序付けインデックスとは異なるさらなる順序付けインデックスを有するさらなる値で開始する第１のユーザ信号のＳ番目ごとの値を選択することによって第２の出力３０５を介して第１のユーザ信号のさらなる値として第１のユーザ信号の選択された値のさらなるストリームを提供するために作動する、第１のセレクタ３０１に提供される。
【００５１】
相応して、第２のセレクタ３１９は順序付けインデックスを有する値で開始する第２のユーザ信号のＳ番目ごとの値を選択することによって第２のユーザ信号の値として第２のユーザ信号の選択された値のストリームを提供し、該順序付けインデックスとは異なるさらなる順序付けインデックスを有するさらなる値で開始する第１のユーザ信号のＳ番目ごとの値を選択することによって第２のユーザ信号のさらなる値として第２のユーザ信号の選択された値のさらなるストリームを提供する。
【００５２】
言い換えると、第１のセレクタ３０１と第２のセレクタ３１９は、検討されているユーザ信号のＳ番目のごとの値を関連ストリームに収集することにより、それぞれ第１のユーザ信号の選択された値のいくつかのストリーム、及び第２のユーザ信号の選択された値のいくつかのストリームを提供するようにそれぞれ作動する。図３では、２つのストリーム、つまり第１のユーザ信号と第２のユーザ信号の値のストリームと追加ストリームだけが描かれている。
【００５３】
例えば、第１のセレクタ３０１と第２のセレクタ３１９はマルチプレクサである。
【００５４】
第１の出力３０３により提供されるストリームはインタリーバ３０７によってインタリーブされ、第２の出力３０５によって提供されるさらなるストリームはインタリーバ３０９によってインタリーブされる。相応して、第２のユーザ信号に関連したストリームとさらなるストリームはインタリーバ３２５とさらなるインタリーバ３２７によってインタリーブされる。インタリーバ３０７は値のストリームに関連している第１のユーザ信号の値をインタリーブするために作動しており、さらなるインタリーバ３０９はさらなるストリームに関連した第１のユーザ信号のさらなる値をインタリーブするために作動する。インタリーバ３０７と３０９によって提供される、インタリーブされた値とさらなる値は、第１のユーザ信号の値として及びユーザ信号のさらなる値としてマッパー３１１と３１３に別々に提供される。
【００５５】
類似する動作が、第２のユーザに割り当てられる信号経路に関連したインタリーバ３２５とさらなるインタリーバ３２７によって実行される。
【００５６】
マッパー３１１、３１３、３２９及び３３９は、第１のユーザ信号の処理済みの値として第１のユーザ信号の値のいくつかの連続信号空間表現を、第１ユーザ信号のさらなる処理済みの値として第１ユーザ信号のさらなる値を、第２のユーザ信号の処理済みの値として第２のユーザ信号の値として、第２のユーザ信号のさらなる処理済みの値として第２のユーザ信号のさらなる値として、提供するように作動する。
【００５７】
図３に示されている装置の第１の入力端子が第１のセクレタ３０１、インタリーバ３０７、及びさらなるインタリーバ３０９によって、及び第１のマッパー３１１とさらなるマッパー３１３によって構成されることが注記されなければならない。相応して、第２の入力端子は第２のセレクタ３１９、インタリーバ３２５とさらなるインタリーバ３２７、マッパー３２９とさらなるマッパー３１１を備える。さらに、マッパー３１１、３１３、３２９及び３３９は図２に示されている実施形態に関連して説明されたマッパーと同様に作動する。
【００５８】
割り当て器３３７は、いくつかの第１のユーザ信号の値（マッパー３１１によって提供される前記いくつかの連続信号空間表現）を、同じ数の連続搬送周波数を有する搬送周波数の第１の集合に割り当てるために作動する。相応して、割り当て器３３７は、第１のユーザ信号のいくつかの連続するさらなる値（マッパー３１３により提供されるいくつかの連続信号空間表現）を連続した搬送周波数を有する第３の集合に割り当てる。図３に図示されているように、搬送周波数の第１の集合と、搬送周波数の第３の集合は、第１のユーザ信号の伝送のために利用されるが、根本的なマルチキャリア変調方式で用いられる搬送周波数により決定される使用可能な帯域幅の範囲内で互いに独立して設置される。
【００５９】
したがって、割り当て器３３７は前記第２のユーザ信号の前記いくつかの値（前記マッパー３２９により提供される提示用の連続信号空間）を前記いくつかの連続搬送周波数を備える搬送周波数の第２の集合に割り当てる。第２のユーザ信号の前記いくつかのさらなる値（前記マッパー３３１によって提供される前記いくつかの連続信号空間表現）は、同じ数の搬送周波数の第４の集合の連続搬送周波数に割り当てられる。
【００６０】
受信機では、図１、図２及び図３に示されている実施形態に関連して説明されるように、連続コードビットが無相関のサブキャリアを介して送信される場合、例えば畳み込み符号が最大ダイバーシティを獲得する。本発明に従って、コードビットのストリームはＳ個のストリームに分割される。各ストリームの中のビットは、オプションでインタリーブされ、変調方式すなわちＱＡＭの配列要素上にマッピングされる。ストリームの数Ｓは前記いくつかの異なるチャネル状態によって与えられる。
【００６１】
図３に示されている装置は前述の本発明の概念を利用する送信機を明示する。各ユーザのビットは前進型エラー訂正コードにより符号化される。直列並列変換器はコードビットのストリームをＳ個のストリームに分割する。ここで、Ｓは搬送周波数のそれぞれの集合により構成される搬送周波数の数を示す。第１のビットはストリーム１に割り当てられ、第２のビットはストリーム２に割り当てられていく。ここで、ストリーム１とストリーム２は前述のストリームとさらなるストリームを示す。各ストリームの中ではオプションのビットインタリーバが、コードビットを例えばＱＡＭまたはＰＳＫ等のためのデジタル変調方法の配列要素にマッピングする前に、コードビットの順序を変える。変調記号（信号空間表現）はＳ個の隣接するサブキャリアに割り当てられ、ストリームはつねにグループ内のＳ番目のサブキャリアに割り当てられる。ある特定のユーザのグループ間の間隔は固定されてよい。この場合、割り当て器２２３はグループに関する周波数ブロックインタリーバである。したがって、空間ダイバーシティは隣接するサブキャリア上で送信される１つのグループ（１つの集合）の中で、ストリームを割り当てることによって利用されるのに対し、元のチャネルの周波数ダイバーシティは帯域幅全体にグループを分散させることにより得られる。
【００６２】
オプションで、割り当て器２２３によって実行される割り当ては１つのＯＦＤＭシンボル（マルチキャリア変調信号）から次のＯＦＤＭシンボルに変更される。つまりサブキャリア０，．．．，Ｓ−１は、第１のＯＦＤＭシンボル内の第１のユーザ（ユーザ１）に割り当てられ、第２のＯＦＤＭシンボル内では、第２のユーザ（ユーザ２）に割り当てられる。
【００６３】
受信機は受信機により実行される動作の逆の動作を実行する。例えば、受信機は送信機の逆インタリーブ動作を実行する。
【００６４】
前述のように、本発明の割り当て器は、例えばチャネル転送機能等の、チャネル特性に応じて搬送周波数のそれぞれの集合に第１のユーザおよび第２のユーザ、または、第１のユーザまたは第２のユーザに関連した値を割り当てるようにさらに動作しうる。
【００６５】
図４は搬送周波数の第１の集合、及び搬送周波数の第２の集合の、図４では破線として描かれているチャネル転送機能を条件とする搬送周波数への割り当ての実施形態を示す。
【００６６】
搬送周波数の第１の集合は、チャネル転送機能が低減衰を有するサブ帯域幅（ｓｕｂ−ｂａｎｄｗｉｄｔｈ）の中で割り当てられる。相応して、搬送周波数の第２の集合は、チャネル転送機能がやはり低減衰を有する第２のサブ帯域幅の中で割り当てられる。第１のサブ帯域幅と第２のサブ帯域幅の間で、一般的な転送機能が大きな減衰により特徴付けられる。例えば、搬送周波数の第１の集合がこの帯域幅の中で割り当てられる場合には、ビット誤り率の大きな上昇が生じるであろう。このシナリオを回避するために搬送周波数の集合は、チャネル情報の評価時に割り当てられてよい。
【００６７】
本発明に対するさらなる実施形態に従って、マルチキャリア信号を提供するための本発明の装置は、例えば図１から図４で考えられるように、マルチキャリア変調方式のいくつかのキャリアによって決定される帯域幅の中で、例えばチャネル転送機能等のチャネル特性に関してチャネル情報を提供するための手段をさらに備えてよい。この場合、割り当て器は、連続した搬送周波数を有する第１の集合の第１の搬送周波数およびチャネル情報に基づいて連続した搬送周波数を有する第２の集合の第１の搬送周波数、または、連続した搬送周波数を有する第１の集合の第１の搬送周波数またはチャネル情報に基づいて連続した搬送周波数を有する第２の集合の第１の搬送周波数を決定するように作動する。
【００６８】
チャネル転送機能が公知である場合には、各サブ帯域幅は、他の搬送周波数よりチャネル影響によってあまり乱されないと予想される搬送周波数を求めるために、例えばチャネル転送機能の閾値を設けることによって決定できる。
【００６９】
図３の実施形態に関連して説明されるように、本発明の割り当て器は、連続した搬送周波数を有するキャリアの第１の集合に第１のユーザ信号の値を割り当てるように、連続した搬送周波数を有するキャリアの第３の集合に第１のユーザ信号のさらなる値を割り当てるように、搬送周波数の第２の集合に第２のユーザ信号の値を割り当てるように、及び連続した搬送周波数を有する第４の集合に第２のユーザ信号のさらなる値を割り与えるように作動する。複数の搬送周波数の集合が複数のサブ帯域幅に割り当てられなければならない場合には、本発明の割り当て器はチャネル情報に基づいて搬送周波数の第１、第２、第３及び第４の集合の連続搬送周波数のそれぞれの集合の第１の搬送周波数を決定するためのチャネル情報を提供するための手段によって提供されるチャネル情報を利用してよい。
【００７０】
図３に描かれているように、マルチキャリア変調器２２５は、マルチキャリア変調信号を取得するために、連続した搬送周波数を有する第１の集合に、連続した搬送周波数を有する第２の集合に、連続した搬送周波数を有する第３の集合に、及び連続した搬送周波数を有する第４の集合に割り当てられる値を同時に変調するために作動する。一般的に言えば、本発明の割り当て器は、連続搬送周波数を含む複数の集合を割り当ててよい。連続搬送周波数のこの複数の集合は、本発明に従って、送信されるマルチキャリア変調信号を取得するために同時に変調される。ここでマルチキャリア変調信号は重畳的にすべてのユーザストリームを含む。
【００７１】
以下では、本発明の概念に関して周期的手法が詳細に説明され、ＮT本の送信アンテナとＮR本の受信アンテナを備える複数入力複数出力（ＭＩＭＯ）チャネルが検討される。
【００７２】
時間ｔにおける送信アンテナｎから受信アンテナｍへのインパルス応答は、１×Ｎsベクトルで与えられ、
【数１】
2007515829.tif 000003
ここで、Ｄはチャネルのメモリを示す。
【００７３】
周期的遅延ダイバーシティの原理を説明するために、図５が参照される。
【００７４】
図５の装置は、インタリーバ４０３に結合しているエンコーダ４０１を示す。インタリーバ４０３の出力はマルチキャリア信号を提供するための本発明の装置５０１に結合している。図４に示されている実施形態と比較すると、本発明の装置５０１はデマルチプレクサ４０５、いくつかのインタリーバ４０７、いくつかのエンコーダ４０９、及び割り当て器４１１を含む。マルチキャリア信号は変換器４１３に提供される。変換された信号は、乗算ポイント４１５で変換されたいくつかの信号のコピーに乗算され、該コピーの数は送信アンテナ４２５の数に一致する。
【００７５】
図５に描かれているように、信号経路４１７を介して提供される信号は変換器４１３により提供される変換済み信号と同一である。手段４２２により取り込まれるシフトのために、信号経路４２１を介して提供される変換済みの信号のコピーは１つの係数によってシフトされる。相応して、信号経路４２３に対応する変換された信号のコピーは信号経路４２１に対応するシフトされたコピーに関して１係数分、シフトされる。図５に描かれているように、遅延を取り込むための手段４２２はそれぞれ左シフトを実行するように作動する。あるいは、手段４２２は右シフトを実行するように作動してよい。さらに、信号がシフトされる係数の数は可変であり、２より大きくてよい。
【００７６】
一般的に、データは例えば前進型エラー訂正エンコーダＦＥＣ４０１によって符号化され、インタリーブされる。（オプションの）インタリーバ４０３の後、コードビットは、例えばＱＡＭ（直交振幅変調）シンボルまたはＰＳＫ（位相シフトキーイング）シンボルで変調される。ＯＦＤＭは次に、サイズＮsの高速フーリエ逆変換（ＩＦＦＴ）を実行するために作動する変換器４１３を使用することによって実現される。ここで、Ｎsはサブキャリアの数である。ＩＦＦＴ４１３の出力シンボルは
【数２】
2007515829.tif 000004
によって示されている。各アンテナは異なる周期的遅延Δn、ｎ＝１，．．．ｎTを取り込む。つまり時間ｔにおけるアンテナからの送信シンボルは以下のように与えられる。
【数３】
2007515829.tif 000005
【００７７】
伝送前、周期的ガード区間（ＧＩ）は、各送信アンテナでそれぞれの手段４１９によって包含される。
【００７８】
図５のシステムは、１本の送信アンテナを備える周波数選択チャネルでのシーケンス
【数４】
2007515829.tif 000006
の伝送に同等であるが、インパルス応答は受信アンテナｍ、ｍ＝１、．．．、ｎRによって以下のように与えられる。
【数５】
2007515829.tif 000007
【数６】
2007515829.tif 000008
【００７９】
図５に描かれているように、送信アンテナ４２５は前記に検討された受信アンテナ５０３に信号を送信する。
【００８０】
図６は、受信された信号が衝突している受信アンテナ５０３を有する対応するＯＦＤＭ受信機構造を示す。受信された信号は次に、図６に描かれていない複数の追加処理手段を介して、ガード区間を削除するための手段６０１に提供される。ガード区間を削除するための手段６０１は高速フーリエ変換（ＦＦＴ）を実行することができない時間周波数変換器６０３に結合している。変換器６０３の出力での変換された信号は、復調するための手段６０５に提供される。復調するための手段６０５は、前進型エラー訂正デコーダ６０９に接続される出力を有するインタリーバ６０７に結合している。特に、復調するための手段６０５は送信機内で実行されるものの逆の演算を実行するように作動する。
【００８１】
基本的には、周期的遅延ダイバーシティが複数入出力（ＭＩＭＯ）チャネルを、周波数選択性が拡大された単一入力複数出力（ｓｉｎｇｌｅ−ｉｎｐｕｔ−ｍｕｌｔｉｐｌｅ−ｏｕｔｐｕｔ）（ＳＩＭＯ）チャネルに変換する。つまり、空間ダイバーシティは周波数ダイバーシティに変換される。この効果は図７ａと図７ｂに明示されている。
【００８２】
図７ａの上部の図では、チャネル係数Ｈ（ｆ）の絶対値が示されており、平坦なフェージングチャネルシナリオが検討される。図７ａの下部図では、周波数での対応する符号化されていない誤り率が描かれている。図７ａで平坦なフェージングチャネルが検討されるため、符号化されていない誤り率は、例証としてのみ周波数上の垂直線に従う。
【００８３】
図７ｂでは、周期的遅延ダイバーシティにより取り込まれる変換が明示されている。
【００８４】
図７ｂの上部の図ではチャネル係数の絶対値が周波数上に示されている。明らかにチャネルは、平坦なフェージングチャネルから、エネルギーが増加した係数とエネルギーが減少した係数を有する周波数選択チャネルに変換されている。対応する符号化されていない誤り率は図７ｂの下部の図に示されている。分かるように、符号化されていない（ビット）誤り率はサブキャリアにわたって一定ではない。しかしながら、符号化されていない伝送の平均ビット誤り率は図７ａで考えられる平坦なフェージングチャネルのケースと同じになる。それにも関わらず、外部の前進型エラー訂正デコーダは使用可能な周波数ダイバーシティを獲得できる。
【００８５】
本発明の搬送周波数割り当て方式はチャネル相関特性の効率的な利用に基づいている。さらに具体的には、本発明の割り当て器は連続搬送周波数に連続値を割り当て、隣接する搬送周波数は無相関またはほぼ無相関である。特に、ＯＦＤＭＡシナリオでは、周期的な遅延の効率的な選択によって、搬送周波数の、あるいは効果的なチャネル周波数応答の相関特性を改善するまたは定めることができる。
【００８６】
本発明のさらなる態様に従って、周期的遅延は、ＦＥＣデコーダがチャネル内で固有である完全空間ダイバーシティを利用できるように選ばれなければならない。最大ダイバーシティレベルを保持するために、同等なチャネルタップは、異なる遅延ｄにおけるタップの合計を含んではならない。この概念は、メモリＤ＝１及びｎT＝２送信アンテナを含む周波数選択チャネルについて図８ａ、図８ｂ及び図８ｃに描かれている。Ｔｓはサンプリングの瞬間を示す。Δ2＝１の場合、３つのタップを含む前述のチャネルによる同等なチャネルが得られる（図８ｃ）。しかしながら、第２のタップは２つの独立したチャネル係数ｈ(lm)（０）とｈ(2m)（０）の合計であるため、オリジナルチャネルに固有である完全ダイバーシティは解決できない。Δ2＝Ｄ＋１＝２という周期的遅延は４つのタップのある同等なチャネルを生じさせ、その結果完全なダイバーシティの利用を可能にする（図８ｃ）。したがって、周期的遅延は好ましくは
【数７】
2007515829.tif 000009
を満たし、ΔnはＦＦＴサンプル間隔に正規化されている。ＴsとＤはチャネルメモリである。
【００８７】
しかしながら、チャネルメモリＤは変化することがあり、送信機にとっては未知である。したがって、周期的遅延は好ましくは可能な限り大きい。Ｄは未知であるため、周期的遅延は好ましくは以下のとおりである。
【数８】
2007515829.tif 000010
【００８８】
前記方程式は、２つの隣接するサブキャリアが無相関であることを保証する本発明の周期的遅延を決定する。
【００８９】
周期的遅延の本発明の選択は、隣接するサブキャリアのチャネル係数
【数９】
2007515829.tif 000011
が低い相関を有する、あるいは理想的には無相関でさえあるという結果を有する。ｋ番目のＯＦＤＭシンボルの受信アンテナｍでのｄ番目のサブキャリアの結果として生じるチャネル係数は以下のように与えられ、
【数１０】
2007515829.tif 000012
ここでは
【数１１】
2007515829.tif 000013
は、チャネルインパルス応答のＦＦＴである。
【００９０】
結果として生じるシナリオを記述するために、ｎT＝２の送信アンテナ及びΔ2＝Ｎs／２という周期的遅延が以下で検討される。
上記から、以下となる。
【数１２】
2007515829.tif 000014
ｄは偶数
【数１３】
2007515829.tif 000015
ｄは奇数
【００９１】
図９は平坦なフェージングチャネルの場合の２本の送信アンテナと周期的遅延Δ2＝Ｎs／２を伴う周期的遅延ダイバーシティのための結果として生じるチャネル周波数応答を明示している。図９から分かるように、結果として生じるチャネル周波数応答の絶対値は第１の値と第２の値の間で交互になり、第２の値は第１の値より小さい。
【００９２】
以下の相関行列を仮定すると、
【数１４】
2007515829.tif 000016
第１のサブキャリアのための関連する相関関数
【数１５】
2007515829.tif 000017
が図１０に示されている。相関関数の値が０（「１」が相対値を示すのに対し、無相関チャネル係数を特徴付ける）と、１（完全に相関するチャネル係数を特徴付ける）の間で変化することが分かる。したがって、１つおきのサブキャリアのチャネル係数は相関しているのに対し、隣接するサブキャリアは無相関である。その結果、これらの影響を考慮しない周波数方向での標準差分変調は、失敗するであろう。
【００９３】
図１０に示されている相関関数の特徴は前述の問題点を回避するための本発明の概念を示している。例えば、２本のアンテナの場合、データは、別々に差分変調される２つのストリームに分割できる。ストリームの一方は次に偶数番号のサブキャリアで送信され、他方のストリームは奇数番号の付いたサブキャリアで送信され、その結果対応するストリームの値は、例えば周波数領域内の相関チャネル係数に関連する搬送周波数を介して等、つねに相関キャリアを介して送信される。
【００９４】
図１３は、図１２の周波数選択チャネルの場合の２本の送信アンテナを備え周期的遅延がΔ2＝Ｎs／２である周期的遅延ダイバーシティの相関関数Ｒ1dを示す。該相関関数が相関するチャネル係数を特徴付ける値を有し、これらの値が無相関のチャネル係数を特徴付ける相関関数の値より大きいことが分かる。
【００９５】
Δ2＝Ｎs／４という周期的遅延が選ばれる場合、項ｅj2πdΔn/Nsは４つの異なる値をとることができる。つまり、平坦なチャネルでは、結果として生じる周波数領域チャネル
【数１６】
2007515829.tif 000018
の４つの異なるチャネル状態を観察できる。
【００９６】
図１２は、第１の送信信号と第２の送信信号を生成するための装置の実施形態を示す。本来、図１２の装置はマルチキャリア変調信号を提供するための本発明の装置によって提供されるマルチキャリア変調信号に基づいて第１の送信信号と第２の送信信号を提供するために作動しており、この装置は上記に詳細に説明されている。
【００９７】
図１２に示される装置は第１の送信信号と第２の送信信号を生成するための手段１２０１を備える。手段１２０１は、例えば図１２には明示的に描かれていない分配器により複数の経路に分割される入力１２０３を有する。簡略化のために、図１２は、複数の経路の内で第１の経路１２０５、第２の経路１２０７及びさらなる経路１２０９を示している。
【００９８】
第１の送信信号と第２の送信信号を生成するための手段１２０１は複数の出力を有し、各出力は単一の経路に関連している。第１の信号経路１２０５は、第１の出力１２１１に直接的に結合している。第２の経路１２０７はシフト要素１２１３の入力に結合しており、シフト要素１２１３は第１の送信信号と第２の送信信号を生成するための手段１２０１の第２の出力１２１５に接続されている出力を有する。さらなる経路１２０９は、第１の送信信号と第２の送信信号を生成するための手段１２０１のさらなる出力１２１９に接続される出力を有するさらなるシフト要素１２１７に結合している。
【００９９】
第１の送信信号と第２の送信信号を生成するための手段１２０１の複数の出力の各出力は送信アンテナに関連している。複数の送信アンテナにより送信される信号を生成するために、第１の送信信号と第２の送信信号を生成するための手段１２０７の各出力は送信される高周波信号を生成するためのさらなる手段に結合してもよい。
【０１００】
一般的には、入力１２０３を介して提供されるマルチキャリア変調信号から第１の送信信号と第２の送信信号を生成するための本発明の手段１２０１は、第１の送信信号として第１のマルチキャリア変調信号を生成するために、及び第２の送信信号としてマルチキャリア変調信号の周期的にシフトされたバージョンを生成するために作動する。
【０１０１】
図１２に描かれているように、手段１２０１はマルチキャリア変調信号の複数の正確なコピーを生成し、各コピーは信号経路の１つに関連する。ここで、各バージョンがマルチキャリア変調信号のコピーから取得されているマルチキャリア変調信号の複数のバージョンが総数ｎTの送信アンテナによって送信されてよく、各バージョンは単一のアンテナに割り当てられる。さらに具体的には、第１の送信信号はすべての送信アンテナのうち１つの送信アンテナによって送信されてよく、図１２に描かれている第２の送信信号はすべての送信アンテナのうちの１つのさらなる送信アンテナによって送信されてよく、送信アンテナの総数の各アンテナは番号付け指数に関連している。番号付け指数は１以上、及びｎT以下であってよい。
【０１０２】
図１２に描かれている第２の送信信号を生成するために、第１の送信信号と第２の送信信号を生成するための手段１２０１はマルチキャリア変調信号のバージョンとしてマルチキャリア変調信号のコピーを作成し、第２の送信信号を取得するためにシフト因数Δnによってマルチキャリア変調信号のコピーを周期的にシフトするように作動している。
【数１７】
2007515829.tif 000019
ここで、Ｎsはマルチキャリア変調方式のキャリアの数を示し、ｎは第２の送信信号に関連するさらなるアンテナの番号付け指数を示す。
【０１０３】
送信信号を生成するための手段１２０１は、マルチキャリア変調信号のバージョンとしてマルチキャリア変調信号のコピーを作成することにより第１の送信信号を生成するように作動してよい。このシナリオは経路１２０５によって明示され、第１の送信信号は入力１２０３によって提供されるマルチキャリア変調信号の同一のコピーである。しかしながら、第１の送信信号はシフト因数Δkによってマルチキャリア信号のさらなるコピーを周期的にシフトしたものであってもよい。
【数１８】
2007515829.tif 000020
ここで、ｋは第１の送信信号を送信するために適用される送信アンテナの番号付け指数を示す。この場合、第１の送信信号は図１２の出力１２１９によって提供されるであろう。
【０１０４】
シフト要素１２１７と１２１３は、マルチキャリア変調信号のそれぞれのコピーを周期的にシフトするために作動している。ここで、周期的なシフトは前述の周期的な遅延を取り込む。例えば、マルチキャリア変調信号の各コピーは最小の番号付け指数を有する値で開始し、最大の番号付け指数を有する値で終了する番号付け指数に関連する離散値の集合を含む。複数の遅延要素の各々は、いくつかの値、あるいはシフト因数で決定されるいくつかの値で、マルチキャリア変調信号のコピーを周期的にシフトするために作動している。周期的なシフトは例えば第２の送信信号を取得するために最後の値が最初の値の前に置かれるように演算を行う。言い換えると、シフト要素は所望される周期的な遅延を取り込むために右シフトまたは左シフトを実行するように作動する。したがって、遅延要素は、例えば、入力と、周期的シフト特性を提供するために入力に結合している出力を有するシフトレジスタであってよい。
【０１０５】
本発明に従って、前述のように送信される各信号に対して、周期的シフトレジスタが選ばれるときに、２つの隣接するキャリアの間の相関は最小限に抑えられる。しかしながら、所望される相関特性を達成するためには、送信信号は互いに関して周期的に遅延してよく、その結果前述のように、ｎ番目の経路に関連した周期的シフトはｋ番目の経路に関連する周期的なシフトに依存している。
【０１０６】
送信後、受信機は複数のアンテナによって送信される信号の重ね合わせを受信する。帯域通過後もしくは基礎バンド変換後、受信されたマルチキャリア変調信号が得られ、受信されたマルチキャリア変調信号は複数のユーザ信号の重ね合わせを受信する。ユーザ信号を抽出するために、本発明の受信機は、前述の本発明の装置により実行される演算に正確に対応する演算を実行するために作動する。
【０１０７】
図１３は受信されたマルチキャリア変調信号から第１のユーザ信号に対応する値を抽出するための装置の第１の実施形態を示す。図１３に示される装置は、例えば受信マルチキャリア信号を処理するための通信受信機で実現されてよい。さらに具体的には、受信されたマルチキャリア変調信号が、第１のユーザ信号の値または第１のユーザ信号の処理された値を、連続した搬送周波数を有するキャリアの第１の集合に割り当てることによって、及び第２のユーザ信号の値を、マルチユーザシナリオで連続した搬送周波数を有するキャリアの第１の集合に割り当てることによって（送信機で）形成される場合、連続した搬送周波数を有する第１の集合に、連続した搬送周波数を有する第２の集合に割り当てられる値として割り当てられる値は、各点が送信アンテナを備える、複数の送信点から送信されるマルチキャリア変調信号を得るために同時に変調される。言い換えると、受信されたマルチキャリア信号は、前記に詳しく説明された本発明の概念によって提供されるマルチキャリア信号の送信で得られる。
【０１０８】
図１３に示されている装置は１つの入力と複数の出力を有するマルチキャリア復調器１３１３を備え、該複数の出力はセレクタ１３１５に接続されている。セレクタ１３１５はさらなる入力１３１７といくつかの出力１３１８を有する。
【０１０９】
図１３に描かれている装置はユーザ表示を提供するための手段１３１９をさらに備え、あるいは手段１３１９に、セレクタ１３１５のさらなる入力を介してセレクタ１３１５に結合している出力を有する。
【０１１０】
マルチキャリア変調器１３１３は連続した搬送周波数を有する第１の集合に関連する値の集合、及び連続した搬送周波数を有する第２の集合に関連する値の第２の集合とを備える受信されたマルチキャリア信号を復調するために作動する。マルチキャリア復調器１３１３は送信機内で使用されるマルチキャリア変調方式に従ってマルチキャリア復調を実行するために作動する。さらに具体的には、マルチキャリア復調器１３１３は例えば図１のマルチキャリアによって実行される演算とは逆である演算を実行する。
【０１１１】
マルチキャリア復調器１３１３は、復調後に受信されたマルチキャリア信号を提供する。セレクタ１３１５は、値の第１のまたは第２の集合の抽出された値を得るために、値の第１のまたは第２の集合の内の１つの集合を選択するために作動する。抽出された値（値の選択された集合）は次にさらなる処理のために複数の出力１３１８を介して提供される。図１３では、セレクタ１３１５は値の選択された集合を並列に提供する。しかしながら、セレクタ１３１５は、値の選択された集合が値のシリアルストリームとして提供されるように並列直列変換器をさらに備えてよい。
【０１１２】
関連したユーザと対応する値の集合のみを抽出するために、セレクタ１３１５は、第１のユーザ信号が抽出されるのか、それとも第２のユーザ信号が抽出されるのかを示す、ユーザ表示を提供するための手段１３７によって提供されるユーザ表示を受け取る。
【０１１３】
ユーザ表示を提供するための手段１３１９は、キャリアの集合が第１のユーザのまたは第２のユーザの値の関連した集合（または複数の集合）であるかを示す情報を受信するために作動してもよい。
【０１１４】
（値の第１の集合が割り当てられる）キャリアの第１の集合が、連続した搬送周波数を有する第１の集合の第１の搬送周波数で開始する連続搬送周波数を備えてよく、（値の第２の集合が割り当てられる）キャリアの第２の集合は連続した搬送周波数を有する第２の集合の第１の搬送周波数で開始する連続搬送周波数を備える。この場合セレクタ１３１５は、キャリアの集合の第１の搬送周波数で開始する連続キャリアを選択することによって第１のユーザ信号のキャリアの第１の集合を選択するように、あるいは第２のユーザ信号に関連するキャリアの第２の集合の第１の搬送周波数で開始する連続キャリアを選択することによって第２のユーザ信号のキャリアの第２の集合を選択するように作動する。
【０１１５】
ユーザ表示を提供するための手段１３１９は、第１のユーザ信号が抽出されることを信号で知らせるときに搬送周波数の第１の集合の第１の搬送周波数を提供してよいか、あるいは第２のユーザ信号が抽出されることを信号で知らせるために搬送周波数の第２の集合の第１の搬送周波数を提供してよい。
【０１１６】
連続値の第１の集合に割り当てられる値は第１のユーザ信号に対応する値の連続信号空間表現上にマッピングされ、及び／または連続値の第２の集合に割り当てられる値が第２のユーザ信号に対応する値の連続信号空間表現であり、連続信号空間表現が所定の信号空間配列、つまりＱＡＭに属する場合には、セレクタはさらに第２のユーザに対応する値を得るために第２の集合の値をデマッピングするための第１のユーザに対応する値を得るために第１の集合の値をデマッピングするためのデマッパーをさらに備えてよい。言い換えると、デマッパーは図２に示されるマッパーの演算と逆である演算を実行するように作動する。
【０１１７】
したがって、第１のユーザに対応する値および第２のユーザに対応する値、または、第１のユーザに対応する値または第２のユーザに対応する値が、第１のユーザおよび第２のユーザ、または、第１のユーザまたは第２のユーザに対応する連続値のインタリーブされたバージョンである場合には、セレクタは、第１のユーザに対応する抽出された値として第１のユーザに対応する連続値を得るための、あるいは第２のユーザに対応する値として第２のユーザに対応する連続値を得るためのデインタリーバをさらに備える。言い換えると、デインタリーバは図２に示されるデインタリーバの演算と逆の演算を実行する。
【０１１８】
前述のように第１のユーザに対応する値が符号化方式、つまり畳み込み符号に基づいて符号化される場合、及び／または第２のユーザに対応する値が符号化方式に基づいて符号化されている場合は、セレクタは第１または第２のユーザ信号の符号化された値を復号するためのデコーダをさらに備えてよい。本発明のデコーダは図２に示されるコーダの符号化動作と逆である復号化動作を実行する。
【０１１９】
図３の実施形態を参照すると、受信されたマルチキャリア信号は、第１のユーザの各追加値に割り当てられる周波数の第３の集合、及び／または第２のユーザ信号の追加値が割り当てられている周波数の第４の集合に関連する値の第４の集合とをさらに備えてよい。この場合では、セレクタは、例えば搬送周波数の第３の集合の中で搬送周波数の第４の集合を収集することによって、あるいは搬送周波数の第２の集合と搬送周波数の第４の集合を収集することによって、第１のユーザ信号の値を収集するために値の第３の集合または第４の集合を選択するように作動してよい。
【０１２０】
前述の実施形態に従って、キャリアの第３の集合は連続した搬送周波数を有する第３の集合の第４の搬送周波数で開始する連続搬送周波数を備え、キャリアの第４の集合は搬送周波数の第４の集合の第１の搬送周波数で開始する連続搬送周波数を備えてよい。したがって、セレクタは第３のキャリアの第１の搬送周波数で開始する連続キャリアを選択することによって第１の信号のキャリアの第３の集合を選択するように、あるいはキャリアの第４の集合の第１の搬送周波数で開始する連続キャリアを選択することによって第２のユーザのキャリアの第４の集合を選択するように作動する。この場合、ユーザ表示を提供するための手段は、第１のユーザ信号が抽出されることを信号で知らせるときに、搬送周波数の第３の集合の第１の搬送周波数を提供するように、あるいは第２のユーザ信号が抽出されることを信号で知らせるときに搬送周波数の第４の集合の第４の搬送周波数を提供するように作動してよい。したがって、連続値の第３の集合に割り当てられるさらなる値は連続信号空間表現上にマッピングされうる、あるいは第１のユーザ信号に対応するさらなる値、及び／または連続値の第４の集合に割り当てられるさらなる値は、第２のユーザ信号に対応するさらなる値の連続追加信号空間表現であってもよい。前述のように、連続信号空間表現は、ＱＡＭ等の所定の信号空間配列に属してよい。したがって、本発明のセレクタは第１のユーザに対応する値を取得するために第３の集合の値をデマッピングするための、あるいは第２のユーザに対応する値を取得するために第４の集合の値をデマッピングするためのさらなるデマッパーをさらに備えてよく、該さらなるデマッパーは前述のように動作する。
【０１２１】
したがって、第１のユーザに対応するさらなる値及び／または第２のユーザに対応するさらなる値は第１のユーザに、及び／または第２のユーザに対応するさらなる連続値のインタリーブされたバージョンであってよい。この場合、セレクタは、第１のユーザに対応するさらなる連続値をさらに取得する取得するための、あるいは第１のユーザに対応するさらなる連続値を取得するためのさらなるデインタリーバを備える。言い換えると、さらなるデインタリーバは前述のインタリーバの演算の逆である演算を実行することによりインタリーブされたバージョンをデインタリーブする。
【０１２２】
さらに、第１のユーザに対応するさらなる値は、畳み込み符号化等の符号化方式に基づいて符号化されてよい、及び／または第２のユーザに対応するさらなる値は符号化方式に基づいて符号化されてよい。この場合では、セレクタは、前述のように第１のユーザに、または第２のユーザに対応する符号化値を復号するためのさらなるデコーダを備えてよい。
【０１２３】
再び図３を参照すると、値の第１の集合に対応する値は順序付け指数を有する値で開始する第１のユーザ信号のＳ番目ごとの値を選択することにより取得される第１のユーザ信号の選択された値のストリームであってよく、値の第３の集合に対応するさらなる値は、さらなる順序付け指数を有する値で開始する第１のユーザ信号のＳ番目ごとの値を選択することによって取得される第１のユーザ信号の選択された値のさらなるストリームである、及び／または値の第２の集合は第２のユーザ信号の選択された値のストリームであり、値の第４の集合は第２のユーザストリームの選択された値のさらなるストリームであり、両方のストリームとも第１のユーザ信号に関して実行されるのと同様に第１のユーザ信号の値を選択することによって取得され、Ｓは前述のように、２以上の数であり、したがってセレクタは、ストリームの、及び第１のユーザ信号または第２のユーザ信号を取得するために第１のユーザ信号の、または第２のユーザ信号のさらなるストリームの値を収集するための手段をさらに備えてよい。言い換えると、収集するための手段は、第１のストリームの連続値が第１のユーザ信号のまたは第２のユーザ信号のＳ番目の値になるようにストリームとさらなるストリームをマージする。
【０１２４】
特定のインプリメンテーション要件に応じて、マルチキャリア変調信号を提供するための、第１の送信信号と第２の送信信号を提供するための、第１のユーザ信号に対応する値を抽出するための本発明の方法の要件はハードウェア内またはソフトウェア内で実現できる。インプリメンテーションは、本発明の方法が実行されるように、プログラマブルコンピュータシステムと協調できる、デジタル記憶媒体、特にその上に向かって電子的に読み取り可能な制御信号を有するディスクまたはＣＤを使用して実行できる。したがって一般的には、本発明は、プログラムコードが機械読み取り可能キャリアに記憶されたコンピュータプログラム製品であり、プログラムコードは、コンピュータプログラム製品がコンピュータ上で実行すると本発明の方法を実行する。したがって言い換えると、本発明の方法は、コンピュータプログラムがコンピュータ上で実行するときに、本発明の方法を実行するためのプログラムコードを有するコンピュータプログラムである。
【図面の簡単な説明】
【０１２５】
【図１】本発明の第１の実施形態に従ってマルチキャリア変調信号を提供するための本発明の装置のブロック図を示す。
【図２】本発明のさらなる実施形態に従ってマルチキャリア変調信号を提供するための装置のブロック図を示す。
【図３】本発明のさらなる実施形態に従ってマルチキャリア変調信号を提供するための装置のブロック図を示す。
【図４】本発明のキャリア割当方式を明示する。
【図５】コード化されたＯＦＤＭ（送信機）の周期的遅延ダイバーシティを明示する。
【図６】コード化されたＯＦＤＭ（受信機）の周期的遅延ダイバーシティを明示する。
【図７Ａ】フェージングチャネル及び対応する符号化された誤り率を明示する。
【図７Ｂ】周期的遅延ダイバーシティ及び対応する符号化された誤り率により変換される図７ａのチャネルを示す。
【図８Ａ】通信チャネルのモデルを示す。
【図８Ｂ】周期的遅延ダイバーシティを使用する同等なＳＩＭＯチャネルを示す。
【図８Ｃ】さらなる周期的遅延ダイバーシティを使用する同等なＳＩＭＯチャネルを示す。
【図９】チャネル周波数応答を示す。
【図１０】本発明による２本の送信アンテナとの周期的遅延ダイバーシティの相関関数を明示する。
【図１１】周波数選択チャネルのケースで２本の送信アンテナを使用する周期的な遅延ダイバーシティの相関関数を示す。
【図１２】本発明による第１の送信信号と第２の送信信号を発生するための装置を示す。
【図１３】本発明による値を抽出するための装置のブロック図を示す。
【図１４】従来のＯＦＤＭ方式のブロック図を示す。
【図１】
2007515829.tif 000023
【図２】
2007515829.tif 000024
【図３】
2007515829.tif 000025
【図４】
2007515829.tif 000026
【図５】
2007515829.tif 000027
【図６】
2007515829.tif 000028
2007515829.tif 000029
2007515829.tif 000030
【図９】
2007515829.tif 000031
【図１０】
2007515829.tif 000032
【図１１】
2007515829.tif 000033
【図１２】
2007515829.tif 000034
【図１３】
2007515829.tif 000035
【図１４】
2007515829.tif 000036
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
連続した搬送周波数を有するいくつかのキャリアを用いたマルチキャリア変調方式を使用して、第１のユーザ信号と第２のユーザ信号から、マルチキャリア変調信号からの第１の送信信号と第２の送信信号を生成するための装置であって、
前記第１のユーザ信号と前記第２のユーザ信号を受信するための入力（１０１）と、
連続した搬送周波数を有するキャリアの第１の集合に前記第１のユーザ信号の値または前記第１のユーザ信号の処理済みの値を割り当て、連続した搬送周波数を有するキャリアの第２の集合に前記第２のユーザ信号の値または前記第２のユーザ信号の処理済みの値を割り当て、連続した搬送周波数を有するキャリアの第３の集合に前記第１のユーザ信号のさらなる値を割り当て、連続した搬送周波数を有するキャリアの第４の集合に前記第２のユーザ信号のさらなる値を割り当てるための割り当て器（１１５、２２３、３３７）と、
前記マルチキャリア変調信号を取得するために連続搬送周波数の前記第１の集合と、前記第２の集合と、前記第３の集合と、前記第４の集合とに割り当てられた値を同時に変調するためのマルチキャリア変調器（１１７、２２５）と、
前記第１の送信信号と前記第２の送信信号を生成するための手段（１２０１）であって、前記第１の送信信号と前記第２の送信信号を生成するための手段（１２０１）が前記第１の送信信号として前記マルチキャリア変調信号のあるバージョンを生成し、前記第２の送信信号として前記マルチキャリア変調信号の周期的にシフトさせたバージョンを生成するために作動する手段と
を備え、
前記入力が、前記第１のユーザ信号だけを受信し、前記第１のユーザ信号の値または前記第１のユーザ信号の処理済みの値を前記割り当て器（１１５、２２３、３３７）に提供するための第１の入力端子（１０３）と、前記第２のユーザ信号だけを受信し、前記割り当て器（１１５、２２３、３３７）に前記第２のユーザ信号の値または処理済みの値を提供するための第２の入力端子（１０５）とを備え、
前記第１の入力端子（１０３）が、順序付け指数を有する値から始まる前記第１のユーザ信号のＳ番目ごとの値を選択することによって前記第１のユーザ信号の値を提供し、さらなる順序付け指数を有するさらなる値から始まる前記第１のユーザ信号のＳ番目ごとの値を選択することによって前記第１のユーザ信号のさらなる値を提供するための第１のセレクタ（３０１）を備え、
前記第２の入力端子（１０５）が、順序付け指数を有する値から始まる前記第２のユーザ信号のＳ番目ごとの値を選択することによって前記第２のユーザ信号の値を提供し、さらなる順序付け指数を有するさらなる値から始まる前記第２のユーザ信号のＳ番目ごとの値を選択することによって前記第２のユーザ信号のさらなる値を提供するための第２のセレクタ（３１９）を備え、
Ｓが２以上の数である
装置。
【請求項２】
前記第１の入力端子（１０３）が、前記第１のユーザ信号の値を符号化し、前記第１のユーザ信号の値として前記第１のユーザ信号の前記符号化された値を提供するための第１のエンコーダ（２０７）を備え、前記第２の入力端子（１０５）が前記第２のユーザ信号の値を符号化し、前記第２のユーザ信号の値として前記第２のユーザ信号の前記符号化された値を提供するための第２のエンコーダ（２１５）を備える、請求項１に記載の装置。
【請求項３】
前記第１の入力端子（１０３）が、前記第１のユーザ信号の前記値をインタリーブし、前記第１のユーザ信号の値として前記第１のユーザ信号の前記インタリーブされた値を提供するためのインタリーバ（２０９）を備え、
前記第２の入力端子（１０５）が、前記第１のユーザ信号の値をインタリーブし、前記第１のユーザ信号の前記値として前記第１のユーザ信号の前記インタリーブされた値を提供するためのインタリーバ（２１７）を備える、請求項１または２に記載の装置。
【請求項４】
前記第１のユーザ信号のいくつかの連続信号空間表現を前記第１のユーザ信号の処理済みの値として取得するために、所定の信号空間配列にある前記いくつかの連続信号空間表現上に前記第１のユーザ信号の連続値をマッピングするためのマッパー（２１１）を、前記第１の入力端子（１０３）が備え、
前記第２のユーザ信号のいくつかの連続信号空間表現を前記第２のユーザ信号の処理済みの値として取得するために、所定の信号空間配列にある前記いくつかの連続信号空間表現上に前記第２のユーザ信号の連続値をマッピングするためのマッパー（２１９）を、前記第２の入力端子（１０５）が備える、請求項１から３のいずれか一項に記載の装置。
【請求項５】
前記第１の入力端子（１０３）が、前記第１のユーザ信号の前記値として前記第１のユーザ信号のインタリーブされた値を取得するために前記第１のユーザ信号の前記値をインタリーブするためのインタリーバ（３０７）を備え、前記第１の入力端子（１０３）が、前記第１のユーザ信号の値として前記第１のユーザ信号のインタリーブされたさらなる値を取得するために前記第１のユーザ信号の前記さらなる値をインタリーブするためのさらなるインタリーバ（３０９）を備え、
前記第２の入力端子（１０５）が、前記第２のユーザ信号の前記値として前記第２のユーザ信号のインタリーブされた値を取得するために前記第２のユーザ信号の前記値をインタリーブするためのインタリーバ（３２５）を備え、前記第２の入力端子（１０５）が、前記第２のユーザ信号の値として前記第２のユーザ信号のインタリーブされたさらなる値を取得するために前記第２のユーザ信号の前記さらなる値をインタリーブするためのさらなるインタリーバ（３２７）を備える、請求項１に記載の装置。
【請求項６】
前記第１の入力端子（１０３）が、前記第１のユーザ信号の処理済みの値として前記第１のユーザ信号の前記値の前記いくつかの連続信号空間表現を取得するために、所定の信号空間配列にある前記いくつかの連続信号空間表現上に前記第１のユーザ信号の前記値をマッピングするためのマッパー（３１１）を備え、
前記第１の入力端子（１０３）が、前記第１のユーザ信号のさらなる処理済みの値として前記第１のユーザ信号の前記さらなる値の前記いくつかのさらなる連続信号空間表現を取得するために、所定の信号空間配列にある前記いくつかの連続信号空間表現上に前記第１のユーザ信号の前記値をマッピングするためのさらなるマッパー（３０３）とを備え、
前記第２の入力端子（１０５）が、前記第２のユーザ信号の処理済みの値として前記第２のユーザ信号の前記値の前記いくつかの連続信号空間表現を取得するために所定の信号空間配列にある前記いくつかの連続信号空間表現上に前記第２のユーザ信号の前記値をマッピングするためのマッパー（３２９）を備え、
前記第２の入力端子（１０５）が、前記第２のユーザ信号のさらなる処理済みの値として前記第２のユーザ信号の前記さらなる値の前記いくつかのさらなる連続信号空間表現を取得するために所定の信号空間配列にある前記いくつかの連続信号空間表現上に前記第２のユーザ信号の前記値をマッピングするためのさらなるマッパー（３３１）を備える、請求項１から５のいずれか一項に記載の装置。
【請求項７】
前記所定の信号空間配列が、ＰＳＫ方式、ＱＡＭ方式またはＰＡＭ方式に属する、請求項１から６のいずれか一項に記載の装置。
【請求項８】
前記マルチキャリア変調方式のいくつかのキャリアによって決定される帯域幅におけるチャネル特性に関してチャネル情報を提供するための手段をさらに備え、前記割り当て器（１１５、２２３、３３７）が、前記チャネル情報に基づいて、連続搬送周波数の前記第１の集合の第１の搬送周波数を決定するため、および／または、連続搬送周波数の前記第２の集合の第２の搬送周波数を決定するために作動する、請求項１から７のいずれか１項に記載の装置。
【請求項９】
前記割り当て器（１１５、２２３、３３７）が、連続した搬送周波数を有するキャリアの前記第１の集合に前記第１のユーザ信号の値を割り当てるため、連続した搬送周波数を有するキャリアの第３の集合に前記第１のユーザ信号のさらなる値を割り当てるため、搬送周波数の前記第２の集合に前記第２のユーザ信号の値を割り当てるため、そして連続した搬送周波数を有する搬送周波数の第４の集合に前記第２のユーザ信号の前記さらなる値を割り当てるために作動する、請求項１から７のいずれか一項に記載の装置。
【請求項１０】
前記マルチキャリア変調方式のいくつかのキャリアにより決定される帯域幅におけるチャネル特性に関してチャネル情報を提供するための手段をさらに備え、前記割り当て器が前記チャネル情報に基づいて、連続搬送周波数の前記第１の集合の第１の搬送周波数を決定するため、および／または、連続搬送周波数の前記第２の集合の第１の搬送周波数を決定するため、および／または、連続搬送周波数の前記第３の集合の第１の搬送周波数を決定するため、および／または、連続搬送周波数の前記第４の集合の第１の搬送周波数を決定するために作動する、請求項９に記載の装置。
【請求項１１】
前記マルチキャリア変調信号を得るために、連続搬送周波数の前記第１の集合に、連続搬送周波数の前記第２の集合に、連続搬送周波数の前記第３の集合に、そして連続搬送周波数の前記第４の集合に割り当てられる値を、前記マルチキャリア変調器（１１７、２２５）が同時に復調するために作動する、請求項９または１０に記載の装置。
【請求項１２】
前記マルチキャリア変調器が、前記マルチキャリア変調信号を取得するためにＩＦＴ、ＩＦＦＴまたはＩＤＦＴ演算を実行するために作動する、請求項１から１１のいずれか１項に記載の装置。
【請求項１３】
前記第１の送信信号が、総数ｎTの送信アンテナの内の１本の送信アンテナによって送信され、前記第２の送信信号が送信アンテナ総数の内のあるさらなる送信アンテナによって送信され、送信アンテナの前記総数の内の各アンテナが、１以上ｎT以下の番号付け指数と関連付けられ、前記第１の送信信号と前記第２の送信信号を生成するための手段（１２０１）が、前記第２の送信信号を取得するために、前記マルチキャリア変調信号のコピーを生成し、シフト因数Δnで前記マルチキャリア変調信号のコピーを周期的にシフトするために作動し、
【数１】
2007515829.tif 000037
Ｎsが前記マルチキャリア変調方式のキャリアの数を示し、ｎが前記さらなるアンテナの前記番号付け指数を示す、請求項１から１２のいずれか１項に記載の装置。
【請求項１４】
前記第１の送信信号と前記第２の送信信号を生成するための手段（１２０１）が、前記第２の送信信号に関連付けられた前記送信アンテナの番号付け指数ｋが１に等しいときに前記マルチキャリア変調信号の前記バージョンとして前記マルチキャリア変調信号のさらなるコピーを生成するために、それ以外の場合は前記マルチキャリア変調信号のバージョンを取得するためにシフト因数Δkによって、
【数２】
2007515829.tif 000038
前記マルチキャリア変調信号のさらなるコピーを周期的にシフトするために作動する、請求項１３に記載の装置。
【請求項１５】
前記マルチキャリア変調信号の前記コピーが、最小の番号付け指数を有する値から始まって、最大の番号付け指数を有する値で終わる番号付け指数に関連する離散値の集合を備え、
前記第１の送信信号と前記第２の送信信号を生成するための手段（１２０１）が、前記第２の送信信号を得るために最後の値が最初の値の前に置かれるような前記シフト因数によって決定される数を個数とするいくつかの値によって前記マルチキャリア変調信号の前記コピーを周期的にシフトするために作動する遅延要素（１２１３、１２１７）を備える、請求項１３または１４に記載の装置。
【請求項１６】
第１の送信信号と第２の送信信号として送信されている受信されたマルチキャリア変調信号から第１のユーザ信号に対応する値を抽出するための装置であって、前記第１の送信信号が前記マルチキャリア変調信号のあるバージョンであり、前記第２の送信信号が前記マルチキャリア変調信号の周期的にシフトされたバージョンであり、
前記受信されたマルチキャリア変調信号は、前記第１のユーザ信号の値または処理済みの値を連続した搬送周波数を有するキャリアの第１の集合に割り当てることと、前記第２のユーザ信号の値を連続した搬送周波数を有するキャリアの第２の集合に割り当てることと、連続した搬送周波数を有するキャリアの第３の集合に前記第１のユーザ信号のさらなる値を割り当てることと、マルチユーザシナリオにおける連続した搬送周波数を有するキャリアの第４の集合に前記第２のユーザ信号のさらなる値を割り当てることとによって形成され、
値の前記第１の集合に対応する前記値が順序付け指数を有する値から始めて前記第１のユーザ信号のＳ番目ごとの値を選択することによって取得され、値の前記第３の集合に対応する前記さらなる値がさらなる順序付け指数を有する値から始めて前記第１のユーザ信号のＳ番目ごとの値を選択することによって取得され、および／または、値の前記第２の集合に対応する前記値が順序付け指数を有する値から始めて前記第２のユーザ信号のＳ番目ごとの値を選択することによって取得され、値の前記第４の集合に対応する前記さらなる値がさらなる順序付け指数を有する値から始めて前記第２のユーザ信号のＳ番目ごとの値を選択することによって取得され、ここで、Ｓは２以上の数であり、
連続搬送周波数の前記第１の集合、第２の集合、第３の集合または第４の集合に割り当てられる前記値がマルチキャリア変調信号を取得するためにマルチキャリア変調方式を使用して同時に変調され、前記マルチキャリア変調信号が複数の送信ポイントから送信され、
連続搬送周波数の第１の集合と関連付けられる値の前記第１の集合と、連続搬送周波数の第２の集合と関連付けられる値の前記第２の集合と、連続搬送周波数の第３の集合と関連付けられる値の前記第３の集合と、連続搬送周波数の第４の集合と関連付けられる値の前記第４の集合とを備える受信されたマルチキャリア信号を取得するために受信されたマルチキャリア変調信号を復調するためのマルチキャリア復調器（１３１３）と、
前記第１のユーザ信号または前記第２のユーザ信号が抽出されるべきかを信号で知らせるためにユーザ表示を提供する手段（１３１９）と、
値の前記第１、または第２または第３または第４の集合の抽出された値を取得するために値の前記第１または前記第２または前記第３または前記第４の集合を選択するためのセレクタ（１３１５）であって、前記第１のユーザ信号または前記第２のユーザ信号を取得するために値の前記第１、第２、第３または第４の集合の値を収集する手段と、値の前記第１または第３の集合の連続値から前記第１のユーザ信号のＳ番目ごとの値を収集するために、あるいは値の前記第２または第４の集合の連続値から前記第２のユーザ信号のＳ番目ごとの値を収集するために作動する前記収集する手段を備える前記セレクタ（１３１５）と
を備える装置。
【請求項１７】
キャリアの前記第１の集合が連続搬送周波数の前記第１の集合の前記第１搬送周波数から始まる連続搬送周波数を備え、キャリアの前記第２の集合が連続搬送周波数の前記第２の集合の第１の搬送周波数から始まる連続搬送周波数を備え、前記セレクタ（１３１５）がキャリアの前記第１の集合の前記第１の搬送周波数から始まる連続キャリアを選択することによって前記第１のユーザ信号のキャリアの前記第１の集合を選択するため、またはキャリアの前記第２の集合の前記第１の搬送周波数から始まる連続キャリアを選択することによって前記第２のユーザ信号のキャリアの前記第２の集合を選択するために作動する、請求項１６に記載の装置。
【請求項１８】
ユーザ表示を提供するための前記手段（１３１９）が、前記第１のユーザ信号が抽出されなければならないことを信号で知らせるときに搬送周波数の前記第１の集合の第１の搬送周波数を提供するために作動し、または前記第２のユーザ信号が抽出されなければならないことを信号で知らせるときに搬送周波数の前記第２の集合の前記第１の搬送周波数を提供するために作動する、請求項１７に記載の装置。
【請求項１９】
連続値の前記第１の集合を割り当てられている前記値が前記第１のユーザ信号に対応する値の連続信号空間表現上にマッピングされる、連続値の前記第２の集合に割り当てられる前記値が前記第２のユーザ信号に対応する値の連続信号空間表現である、のうち少なくとも一方が成り立ち、前記連続信号空間表現が所定の信号空間配列に属し、前記セレクタ（１３１５）が第１のユーザに対応する値を取得するために前記第１の集合の前記値をデマッピングするため、あるいは前記第２のユーザに対応する値を取得するために前記第２の集合の前記値をデマッピングするためのデマッパーをさらに備える、請求項１６から１８のいずれか一項に記載の装置。
【請求項２０】
前記第１のユーザに対応する前記値、前記第２のユーザに対応する前記値、のうち少なくとも一方が、前記第１のユーザ、前記第２のユーザ、のうち少なくとも一方に対応する連続値のインタリーブされたバージョンであり、前記セレクタ（１３１５）が前記第１のユーザに対応する前記抽出された値として前記第１のユーザに対応する連続値を取得するため、あるいは前記第２のユーザに対応する前記抽出された値として前記第２のユーザに対応する連続値を取得するためのデインタリーバをさらに備える、請求項１９に記載の装置。
【請求項２１】
前記第１のユーザに対応する前記値が符号化方式に基づいて符号化され、および／または、前記第２のユーザに対応する前記値が前記符号化方式に基づいて符号化され、
前記セレクタ（１３１５）が前記第１のユーザまたは前記第２のユーザに対応する前記符号化された値を復号化するためのデコーダを備える、請求項１９または２０に記載の装置。
【請求項２２】
キャリアの前記第３の集合が、連続搬送周波数の前記第３の集合の前記第１の搬送周波数から始まる連続搬送周波数を備え、キャリアの前記第４の集合が、搬送周波数の前記第４の集合の第１の搬送周波数から始まる連続搬送周波数を備え、前記セレクタがキャリアの前記第３の集合の第１の搬送周波数から始まる連続キャリアを選択することによって前記第１のユーザ信号のキャリアの前記第３の集合を選択するため、あるいはキャリアの前記第４の集合の第１の搬送周波数から始まる連続キャリアを選択することによって前記第２のユーザ信号のキャリアの前記第４の集合を選択するために作動する、請求項１６から２１のいずれか一項に記載の装置。
【請求項２３】
ユーザ表示を提供するための前記手段（１３１９）が、前記第１のユーザ信号が抽出されなければならないことを信号で知らせるときに搬送周波数の前記第３の集合の前記第１の搬送周波数を提供するために、あるいは前記第２のユーザ信号が抽出されなければならないことを信号で知らせるときに搬送周波数の前記第４の集合の前記第１の搬送周波数を提供するために作動する、請求項２２に記載の装置。
【請求項２４】
連続値の前記第３の集合に割り当てられる前記さらなる値が前記第１のユーザ信号に対応するさらなる値の連続信号空間表現上にマッピングされる、および／または、連続値の前記第４の集合に割り当てられる前記さらなる値が前記第２のユーザ信号に対応するさらなる値の連続追加信号空間表現であり、前記連続信号空間表現は所定の信号空間配列に属し、前記セレクタ（１３１５）がさらに前記第１のユーザに対応する値を取得するために前記第３の集合の前記値をデマッピングするため、あるいは前記第２のユーザに対応する値を取得するために前記第４の集合の前記値をデマッピングするためのさらなるデマッパーをさらに備える、請求項１６から２３のいずれか一項に記載の装置。
【請求項２５】
前記第１のユーザに対応する前記さらなる値、および／または、前記第２のユーザに対応する前記さらなる値が、前記第１のユーザ、前記第２のユーザ、のうち少なくとも一方に対応するさらなる連続値のインタリーブされたバージョンであり、前記セレクタ（１３１５）が、前記第１のユーザに対応する前記さらなる連続値を取得するため、あるいは前記第２のユーザに対応する前記さらなる連続値を取得するためのさらなるデインタリーバを備える、請求項２４に記載の装置。
【請求項２６】
前記第１のユーザに対応する前記さらなる値が符号化方式に基づいて符号化され、および／または、前記第２のユーザに対応する前記さらなる値が前記符号化方式に基づいて符号化され、前記セレクタ（１３１５）が前記第１のユーザまたは前記第２のユーザに対応する前記符号化された値を復号化するためのさらなるデコーダを備える、請求項２４または２５に記載の装置。
【請求項２７】
連続した搬送周波数を有するいくつかのキャリアを用いるマルチキャリア変調方式を使用して第１のユーザ信号及び第２のユーザ信号からの、マルチキャリア変調信号から第１の送信信号と第２の送信信号を生成するための方法であって、
前記第１のユーザ信号と前記第２のユーザ信号を受信するステップと、
前記第１のユーザ信号の値を取得するために順序付け指数を有する値から始めて前記第１のユーザ信号のＳ番目ごとの値を選択し、前記第１のユーザ信号のさらなる値を取得するためにさらなる順序付け指数を有するさらなる値から始めて前記第１のユーザ信号のＳ番目ごとの値を選択し、前記第２のユーザ信号の値を取得するために順序付け指数を有する値から始めて前記第２のユーザ信号のＳ番目ごとの値を選択し、前記第２のユーザ信号のさらなる値を取得するためにさらなる順序付け指数を有するさらなる値から始めて前記第２のユーザ信号のＳ番目ごとの値を選択し、Ｓが２以上の数であるステップと、
前記第１のユーザ信号の値または前記第１のユーザ信号の処理済みの値を、連続した搬送周波数を有するキャリアの第１の集合に割り当て、前記第１のユーザ信号のさらなる値を、連続した搬送周波数を有するキャリアの第３の集合に割り当てるステップと、
前記第２のユーザ信号の値または前記第２のユーザ信号の処理済みの値を、連続した搬送周波数を有するキャリアの第２の集合に割り当て、前記第２のユーザ信号のさらなる値を、連続した搬送周波数を有するキャリアの第４の集合に割り当てるステップと、
マルチキャリア変調方式を使用して前記マルチキャリア変調信号を取得するために連続搬送周波数の前記第１、第２、第３または第４の集合に割り当てられる値を同時に変調するステップと、
前記第１の送信信号として前記マルチキャリア変調信号のバージョンを生成するステップと、
前記第２の送信信号として前記マルチキャリア変調信号の周期的にシフトされたバージョンを生成するステップと
を含む方法。
【請求項２８】
第１の送信信号及び第２の送信信号として送信される受信されたマルチキャリア変調信号から第１のユーザ信号に対応する値を抽出するための方法であって、前記第１の送信信号が前記マルチキャリア変調信号のあるバージョンであり、前記第２の送信信号が前記マルチキャリア変調信号の周期的にシフトされたバージョンであり、前記受信されたマルチキャリア変調信号が、前記第１のユーザ信号の値または処理済みの値を連続した搬送周波数を有するキャリアの第１の集合に割り当てることと、連続した搬送周波数を有するキャリアの第２の集合に前記第２のユーザ信号の値を割り当てることと、連続した搬送周波数を有するキャリアの第３の集合に前記第１のユーザ信号のさらなる値を割り当てることと、マルチユーザシナリオで連続した搬送周波数を有するキャリアの第４の集合に前記第２のユーザ信号のさらなる値を割り当てることとによって形成され、値の前記第１の集合に対応する前記値は順序付け指数を有する値から始めて前記第１のユーザ信号のＳ番目ごとの値を選択することによって取得され、値の前記第３の集合に対応する前記さらなる値がさらなる順序付け指数を有する値から始めて前記第１のユーザ信号のＳ番目ごとの値を選択することによって取得され、および／または、値の前記第２の集合に対応する前記値が、順序付け指数を有する値から始めて前記第２のユーザ信号のＳ番目ごとの値を選択することによって取得され、値の前記第４の集合に対応する前記さらなる値がさらなる順序付け指数を有する値から始めて前記第２のユーザ信号のＳ番目ごとの値を選択することによって取得され、ここでＳが２以上の数であり、連続搬送周波数の前記第１、第２、第３または第４の集合に割り当てられている前記値がマルチキャリア変調信号を取得するためにマルチキャリア変調方式を使用して同時に変調され、前記マルチキャリア変調信号が複数の送信ポイントから送信され、
前記受信されたマルチキャリア信号を受信するステップと、
連続搬送周波数の前記第１の集合と関連付けられる値の第１の集合と、連続搬送周波数の前記第２の集合と関連付けられる値の第２の集合と、連続搬送周波数の前記第３の集合と関連付けられる値の第３の集合と、連続搬送周波数の前記第４の集合と関連付けられる値の第４の集合とを備える受信されたマルチキャリア信号を取得するために前記受信されたマルチキャリア変調信号を復調するステップと、
前記第１のユーザ信号、あるいは前記第２のユーザ信号が抽出されるべきかどうかを信号で知らせるためにユーザ表示を提供するステップと、
値の前記第１、または前記第２または前記第３または前記第４の集合の抽出された値を取得するために、値の前記第１または前記第２または前記第３または前記第４の集合を選択するステップと、
値の前記第１のまたは第３の集合の連続値から前記第１のユーザ信号のＳ番目ごとの値を収集する、あるいは値の前記第２または第４の集合の連続値から前記第２のユーザ信号のＳ番目ごとの値を収集するステップと
を備える方法。
【請求項２９】
プログラムがコンピュータで実行されるときに、請求項２７または２８に記載の方法を実行するためのプログラムコードを含む、コンピュータプログラム。
【国際調査報告】
2007515829.tif 000039
2007515829.tif 000040
2007515829.tif 000041